(57)【要約】【課題】紳士用・婦人用ズボン等の衣服の裾長さを着用する人に合わせて極めて短時間で調節することができる裾長さ調節機能付き衣服を提供すること。【解決手段】裾上げ紙１の上紙３の目盛り部分５を裏地１７に当てて決定した裾上げ長さまで折り返し、上紙３及び下紙２内側の両面テープ６，７，８，９の剥離紙を全て剥がし、上紙３は先端が裏地１７の縁に沿うように下紙２はＡ線と裏地１７を挟んで裏側に貼り付け、裏地１７は上紙３及び下紙２に挟まれた部分全面が裾上げ紙１に貼り付けられる。上紙３及び下紙２がＡ線に合わせて折り曲げられ、Ａ線を表地１６で軽く摘んだまま、裾上げ紙１の下紙２を引き下げると裏地１７も上紙３及び下紙２とともに引き出され、裏地１７のＡ線が引き下げられる。裾上げ紙１の外側の両面テープ１０の剥離紙を剥がし、表地１６の裾仕上がり線を持ったまま上紙３の上端で表地１６を折り返して裾を整える。【選択図】        図３
2004211227.tif 000002
【特許請求の範囲】
【請求項１】
衣服の裾と略同じ外周を有する所定幅の裏地が筒状に合わされて上端と下端において前記衣服の裾の全周に亘って表地の裏側に縫付けられた裾長さ調節機能付き衣服であって、
一定間隔で目盛り線を付けた裾上げ具を両面テープで貼り付けておき、
前記衣服の試着または着用者の股下寸法から算出することによって裾上げ長さを決定し、
前記裾上げ具を用いて前記目盛り線で見て前記表地及び前記裏地を仮の折り返し線から裾上げ長さだけ上がった新しい折り返し線で折り返し、アイロンを掛けるか仮止めするかしておいて、前記衣服の裾の対向する位置にも前記裾上げ具を用いて同様に裾上げを行い、
前記衣服の裾の互いに対向する位置を両手で持って引張りながら裾の全周を前記表地及び前記裏地の前記新しい折り返し線で折り曲げて、前記裾の全周に亘ってアイロンを掛けた後、
前記裏地の下端を前記裾の全周に亘って前記表地の裏側に接着することを特徴とする裾長さ調節機能付き衣服。
【請求項２】
衣服の裾と略同じ外周を有する所定幅の裏地が筒状に合わされて上端と下端において前記衣服の裾の全周に亘って表地の裏側に縫付けられた裾長さ調節機能付き衣服であって、
平板状で長手方向の少なくとも先端部分が二股に分かれ、前記二股に分かれた部分の両方の内側先端及び内側内面にアパレル用の両面テープを貼り、前記二股に分かれた部分の外側に一定間隔で目盛り線を付けた裾上げ具を用意し、
前記衣服の試着または着用者の股下寸法から算出することによって裾上げ長さを決定し、
前記裾上げ具の前記目盛り線を前記裏地に当てて前記裾上げ長さまで折り返し、前記裾上げ具の前記両面テープの剥離紙を全て剥がして、前記二股に分かれた部分の内側先端のうち一方は前記裏地の下端に沿って貼り付け、もう一方は新しい折り返し線で前記表地と前記裏地を挟んで裏に貼り付け、内側内面の両面テープも全て前記裏地の表裏に貼り付け、余った部分で前記二股に分かれた部分同士を貼り合わせ、
前記新しい折り返し線のところで裏地及び表地を前記二股に分かれた部分の一方とともに表側に折り曲げ、さらに前記新しい折り返し線を摘まむことによって前記二股に分かれた部分の他方も反対側に折り曲げて、前記新しい折り返し線を表地で軽く摘んだまま前記裾上げ具の下端を引き下げることによって、前記新しい折り返し線を下端にして前記二股に分かれた部分の内側に貼り付いた前記裏地を引き下げ、
前記表地の前記新しい折り返し線を持ったまま前記裾上げ具の上端で前記表地を折り返して、前記表地及び前記裏地の前記新しい折り返し線にアイロンを掛け、
前記衣服の裾の対向する位置にも前記裾上げ具を用いて同様に裾上げを行い、前記衣服の裾の対向する位置に付けられた前記表地及び前記裏地の前記新しい折り返し線をそれぞれ両手で持って引張りながら裾の全周を前記表地及び前記裏地の前記新しい折り返し線で折り曲げて、前記裾の全周に亘ってアイロンを掛けた後、前記裾上げ具及び前記両面テープを全て取り除き、
前記裏地の下端を前記裾の全周に亘って前記表地の裏側に接着することを特徴とする裾長さ調節機能付き衣服。
【請求項３】
前記裾上げ具の外側にも長手方向に前記両面テープを貼っておき、
前記表地の前記新しい折り返し線を持ったまま前記裾上げ具の上端で前記表地を折り返した後、前記表地及び前記裏地の前記新しい折り返し線にアイロンを掛ける代わりに、前記裾上げ具の外側の前記両面テープの剥離紙を剥がして前記表地の前記新しい折り返し線で前記裾上げ具を折り曲げて前記表地に貼り付けて仮止めすることを特徴とする請求項２に記載の裾長さ調節機能付き衣服。
【請求項４】
衣服の裾と略同じ外周を有する所定幅の裏地が筒状に合わされて上端と下端において前記衣服の裾の全周に亘って表地の裏側に縫付けられた裾長さ調節機能付き衣服であって、
幅の異なる細長い長方形の紙もしくは布にそれぞれ先端から一定間隔で先端線に平行に目盛り線を付した２種類の目盛り紙を、前記表地と前記裏地の前記下端側の縫付け線に前記先端線が一致して前記２種類の目盛り紙の前記先端線が密着するように、前記２種類の目盛り紙のうち一方を前記表地に他方を前記裏地にそれぞれアパレル用の両面テープを用いて貼り付けておき、
前記衣服の試着または着用者の股下寸法から算出することによって裾上げ長さを決定し、
決定した裾上げ長さに相当する前記目盛り線において、前記一方の目盛り紙を前記表地とともに内側に折り返し、前記他方の目盛り紙を前記裏地とともに内側に折り返して、新しい折り返し線にそれぞれアイロンを掛け、
前記衣服の裾の対向する位置にも前記２種類の目盛り紙を同様に貼り付けておいて同様に裾上げを行い、
前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記２種類の目盛り紙及び前記両面テープを全て取り除き、
前記裏地の下端を前記裾の全周に亘って前記表地の裏側に接着することを特徴とする裾長さ調節機能付き衣服。
【請求項５】
前記２種類の目盛り紙のうち幅の広い目盛り紙が先端側から中央部分を後端の手前まで切り取られた門のような形状であり、２つに分かれた前記先端の前記先端線がそれぞれ前記縫付け線に一致するように前記両面テープで前記表地または前記裏地に貼り付けておき、
前記２種類の目盛り紙のうち幅の狭い目盛り紙を、前記幅の広い目盛り紙の２つに分かれた前記先端線及び前記縫付け線にそれぞれ先端線が密着するように２枚前記両面テープで前記裏地または前記表地に貼り付けておくことを特徴とする請求項４に記載の裾長さ調節機能付き衣服。
【請求項６】
前記２種類の目盛り紙のうち幅の広い目盛り紙が先端側から少し中に入った中央部分を後端の手前まで切り取れるようにミシン目を付けておき、前記２種類の目盛り紙のうち幅の狭い目盛り紙を前記中央部分の両側に１枚ずつ接続した一体の目盛り紙として、
前記中央部分には表側に前記両面テープを一部に縦方向にまたは全面に亘って貼り付けて、前記両面テープを貼り付けた部分には剥離紙を貼り付けておき、
使用時には前記一体の目盛り紙の幅の変化する線を前記縫付け線に一致するように前記両面テープで前記表地及び前記裏地に貼り付けておき、
前記決定した裾上げ長さに相当する前記目盛り線において、前記一体の目盛り紙を前記表地及び前記裏地とともに内側に折り返したとき、新しい折り返し線にそれぞれアイロンを掛ける代わりに、前記中央部分を前記ミシン目で切り離して前記表地側に折り返し、前記剥離紙を剥がして前記表地の前記新しい折り返し線に前記両面テープを貼り付けて仮止めすることを特徴とする請求項４に記載の裾長さ調節機能付き衣服。
【請求項７】
前記２種類の目盛り紙をそれぞれの先端線で接続して一体の目盛り紙とし、
使用時には幅の変化する線を前記縫付け線に一致するように前記両面テープで前記表地及び前記裏地に貼り付けておくことを特徴とする請求項４または請求項５に記載の裾長さ調節機能付き衣服。
【請求項８】
前記目盛り紙の前記目盛り線に前記先端線または前記幅の変化する線をゼロとして１から順に数字を付したことを特徴とする請求項４乃至請求項７のいずれか１つに記載の裾長さ調節機能付き衣服。
【請求項９】
衣服の裾と略同じ外周を有する所定幅の裏地が筒状に合わされて上端と下端において前記衣服の裾の全周に亘って表地の裏側に縫付けられた裾長さ調節機能付き衣服であって、
先端が一直線で幅の広いある程度強度があり表裏に一定間隔で目盛り線を付けた平板状の裾上げ具を、前記先端が前記表地と前記裏地の前記下端側の縫付け線に一致するように、前記先端部分を前記表地にアパレル用の両面テープを用いて貼り付けておき、
先端から一定間隔で目盛り線を付けた細長いシールをやはり前記先端が前記縫付け線に一致するように前記裾上げ具の先端近傍にほぼ全面を前記裏地にアパレル用の両面テープを用いて貼り付けておき、
前記衣服の試着または着用者の股下寸法から算出することによって裾上げ長さを決定し、
前記裾上げ具を持って前記表地を滑らせ前記裏地を巻き込みながら前記裾上げ長さまで押し込み、
前記裾上げ長さに相当する前記目盛り線において、前記表地を内側に折り返し、前記細長いシールを前記裏地とともに内側に折り返して、新しい折り返し線にそれぞれアイロンを掛け、
前記衣服の裾の対向する位置にも前記裾上げ具と前記細長いシールを同様に貼り付けておいて同様に裾上げを行い、
前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記裾上げ具と前記細長いシール及び前記両面テープを全て取り除き、
前記裏地の下端を前記裾の全周に亘って前記表地の裏側に接着することを特徴とする裾長さ調節機能付き衣服。
【請求項１０】
前記裾上げ具は、前記裾上げ長さを決定した後に、前記縫付け線に一致するように前記先端部分を前記表地に前記両面テープを用いて貼り付けて裾上げを行うことを特徴とする請求項９に記載の裾長さ調節機能付き衣服。
【請求項１１】
衣服の裾と略同じ外周を有する所定幅の裏地が筒状に合わされて上端と下端において前記衣服の裾の全周に亘って表地の裏側に縫付けられた裾長さ調節機能付き衣服であって、
細長い長方形またはその他の細長い形状、或いは細長い長方形またはその他の細長い形状が複数平行に並べられて上端で接続された形状、或いは細長い長方形またはその他の細長い形状が途中で幅が一旦細くなって再び元の幅に戻って同じ長さだけ伸びた上下対称の形状の紙シールに、下端または前記幅が一旦細くなった部分から一定間隔で目盛り線を付し、前記下端または前記幅が一旦細くなった部分が前記裏地の下端に一致するように、前記裏地または前記表地にアパレル用の両面テープを用いて貼り付けておき、
前記衣服の試着または着用者の股下寸法から算出することによって裾上げ長さを決定し、
前記表地の裏側の下端近傍を持って前記紙シールを下端から剥がしながら前記裏地を巻き込みつつ前記表地を奥へ押し込んで行き、前記紙シールの前記目盛り線で見て前記裾上げ長さまで前記裏地または前記表地が押し込まれたら、前記裾上げ長さで前記裏地及び前記表地をそれぞれ内側へ折り返して新しい折り返し線にそれぞれアイロンを掛け、
前記衣服の裾の対向する位置にも前記紙シールを同様に貼り付けておいて同様に裾上げを行い、
前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記紙シール及び前記両面テープを全て取り除き、
前記裏地の下端を前記裾の全周に亘って前記表地の裏側に接着することを特徴とする裾長さ調節機能付き衣服。
【請求項１２】
前記裏地に前記裏地の下端線を基準として前記紙シールと同一間隔で前記下端線に平行に前記衣服の裾の対向する２箇所の近傍または全周に亘って目盛り線を付け、或いは前記目盛り線を含む柄がプリントされている生地を裏地として用いて、
前記紙シールには前記目盛り線を付しまたは前記目盛り線を付さずに前記裏地または前記表地に前記両面テープを用いて貼り付けて同様に裾上げを行うことを特徴とする請求項１１に記載の裾長さ調節機能付き衣服。
【請求項１３】
前記紙シールを用いず、前記裏地の前記目盛り線を目印にして同様に裾上げを行うことを特徴とする請求項１２に記載の裾長さ調節機能付き衣服。
【請求項１４】
衣服の裾と略同じ外周を有する所定幅の裏地が筒状に合わされて上端と下端において前記衣服の裾の全周に亘って表地の裏側に縫付けられた裾長さ調節機能付き衣服であって、
折り曲げ自在な厚手の材料からなる長さも長く幅も広い長方形の裾上げ具に上端と下端の中間に折り曲げ中心線を付け、この折り曲げ中心線に平行に目盛り線を一定間隔で上半分は表面だけに、下半分は表裏両面に目盛り線を付け、前記折り曲げ中心線から上半分は裏側にアパレル用の両面テープを貼って前記折り曲げ中心線が前記裏地の下端に一致するように前記裏地に貼り付けておき、
前記衣服の試着または着用者の股下寸法から算出することによって裾上げ長さを決定し、
前記裾上げ具を前記折り曲げ中心線から手前に折り曲げて、折り曲げられた前記裾上げ具の前記上半分とともに浮き上る前記裏地を前記裾上げ具の上端の両面テープから剥がして折り返しながら前記表地を前記裾上げ具の前記下半分とともに奥へ押し込んで行き、
前記表地及び前記裏地が前記裾上げ具の目盛り線で見て前記裾上げ長さまで折り返されたら、前記裏地及び前記表地をそれぞれ内側へ折り返して新しい折り返し線にそれぞれアイロンを掛け、
前記衣服の裾の対向する位置にも前記裾上げ具を同様に貼り付けておいて同様に裾上げを行い、
前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記裾上げ具及び前記両面テープを全て取り除き、
前記裏地の下端を前記裾の全周に亘って前記表地の裏側に接着することを特徴とする裾長さ調節機能付き衣服。
【請求項１５】
前記裾上げ具の下半分の裏側にも前記両面テープを貼り付けて表面の剥離紙は剥がさずにおき、前記表地が前記新しい折り返し線で折り返されたときに表面の剥離紙を剥がして前記裾上げ具の下半分を前記表地の前記新しい折り返し線に貼り付けて仮止めすることを特徴とする請求項１３に記載の裾長さ調節機能付き衣服。
【請求項１６】
前記裾上げ具の上端に一または二以上のストッパーを突出させ、前記裾上げ具を前記折り曲げ中心線で手前に折り曲げたときに対応する前記裾上げ具の下端近傍に前記ストッパーを貫通させて止める一または二以上の切り込みを設けたことを特徴とする請求項１４または請求項１５に記載の裾長さ調節機能付き衣服。
【請求項１７】
前記衣服の裾の全周または半周分の長さに切った熱接着テープの片面に、細かく切った工作用の両面接着テープを間隔をおいて複数枚貼り付け、表面側の剥離紙は剥がさずにおくか、または前記表面側の剥離紙を全て剥がして前記熱接着テープの全長に亘る長い剥離紙を前記工作用の両面接着テープの接着面に止めることによって貼り付けたものを用意しておき、
前記表地及び前記裏地の新しい折り返し線の間を開いて、前記複数枚の工作用の両面接着テープの表面側の剥離紙を全て剥がすか、前記長い剥離紙を剥がして、前記裏地の新しい折り返し線に沿って前記裏地の下端の前記表地側に前記熱接着テープを全周に亘って貼り付け、
アイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着することを特徴とする請求項１乃至請求項１６のいずれか１つに記載の裾長さ調節機能付き衣服。
【請求項１８】
前記裾上げ長さが決定した段階で前記裏地及び表地を前記裾上げ長さまで折り返し、前記衣服の裾の全周または半周分の長さに切った熱接着テープの片面に細かく切った工作用の両面接着テープを間隔をおいて複数枚貼り付けたものを、前記折り返した裏地の裾に全周に亘って予め貼り付けておいてから裾上げの作業を開始することを特徴とする請求項１７に記載の裾長さ調節機能付き衣服。
【請求項１９】
熱接着テープを短く切ったものの片面の両端に細かく切った工作用の両面接着テープを貼り付けたものを前記裾の全周分だけ用意しておき、
前記表地及び前記裏地の新しい折り返し線の間を開いて、前記熱接着テープを短く切ったものの両端の工作用の両面接着テープの剥離紙を剥がしながら、前記裏地の新しい折り返し線に沿って前記裏地の下端の前記表地側に前記熱接着テープを貼り付け、
全周に亘って貼り付け終わったらアイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着することを特徴とする請求項１乃至請求項１６のいずれか１つに記載の裾長さ調節機能付き衣服。
【請求項２０】
熱接着テープを短く切ったものの両端の互いに表裏反対側に細かく切った工作用の両面接着テープを、裏側は前記細かく切った工作用の両面接着テープの幅だけ端からスペースをとって貼り付けたものを前記裾の全周分だけ用意しておき、
前記表地及び前記裏地の新しい折り返し線の間を開いて、前記熱接着テープを短く切ったものの両端の工作用の両面接着テープの剥離紙を剥がしながら、前記裏側の工作用の両面接着テープは前記裏地の新しい折り返し線に沿って前記裏地の下端の前記表地側に前記熱接着テープを貼り付け、前記表側の工作用の両面接着テープは先に貼り付けた前記熱接着テープの裏側の前記スペースに貼り付けて前記熱接着テープを次々に接続しながら前記裏地の新しい折り返し線に沿って前記裏地の下端の前記表地側に貼り付けて行き、
全周に亘って貼り付け終わったらアイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着することを特徴とする請求項１乃至請求項１６のいずれか１つに記載の裾長さ調節機能付き衣服。
【請求項２１】
熱接着テープを前記裾全周の長さに切って、前記裏地の新しい折り返し線に沿って前記裏地の下端の前記表地側に前記熱接着テープを当てて、小型で薄型のクリップを用いて適当な間隔で止めて行き、全周に亘って止め終わったら、まず前記クリップで止めてある部分以外の下端にアイロンを掛けて前記熱接着テープを融かして前記表地と前記裏地を熱接着させ、前記クリップで止めてある部分のみが残ったところで前記クリップを全て引き抜いて取り除き前記クリップで止めてあった部分にアイロンを掛けて前記表地と前記裏地を熱接着させ、最後に全周に亘ってスチームアイロンを掛けて仕上げることによって、前記裏地の下端を前記裾の全周に亘って前記表地の裏側に接着することを特徴とする請求項１乃至請求項１６のいずれか１つに記載の裾長さ調節機能付き衣服。
【請求項２２】
前記クリップとして厚紙製のクリップを用いて、前記厚紙製のクリップで止めてある部分も含めて全周に亘ってアイロンを掛けて前記熱接着テープを融かして前記表地と前記裏地を熱接着させ、その後前記厚紙製のクリップを取り除いて最後に全周に亘ってスチームアイロンを掛けて仕上げることを特徴とする請求項２１に記載の裾長さ調節機能付き衣服。
【請求項２３】
熱接着糸またはそれを鎖状に編んだものを前記裾全周の長さに切って、または適当な本数に切り分けて、前記裏地の新しい折り返し線に沿って前記裏地の下端の前記表地側に前記熱接着糸を両面接着シールを用いて適当な間隔で止めて行き、全周に亘って止め終わったら、全周に亘ってアイロンを掛けて前記熱接着糸を融かして前記表地と前記裏地を熱接着させ、最後に全周に亘ってスチームアイロンを掛けて仕上げることによって、前記裏地の下端を前記裾の全周に亘って前記表地の裏側に接着することを特徴とする請求項１乃至請求項１６のいずれか１つに記載の裾長さ調節機能付き衣服。
【請求項２４】
前記表地及び前記裏地の新しい折り返し線の間に熱接着糸またはそれを鎖状に編んだものの端を入れて順に前記熱接着糸またはそれを鎖状に編んだものを入れながらアイロンを掛けて前記熱接着糸を融かして前記表地と前記裏地を熱接着させて行き、全周に亘ってアイロンを掛けて前記熱接着糸を融かして前記表地と前記裏地を熱接着させ終わったら、最後に全周に亘ってスチームアイロンを掛けて仕上げることによって、前記裏地の下端を前記裾の全周に亘って前記表地の裏側に接着することを特徴とする請求項１乃至請求項１６のいずれか１つに記載の裾長さ調節機能付き衣服。
【請求項２５】
前記表地及び前記裏地の新しい折り返し線の間の前記裏地に布地用の液体接着剤を塗り付けて前記液体接着剤が乾かないうちに前記表地の裏に貼り合わせることによって、前記裏地の下端を前記裾の全周に亘って前記表地の裏側に接着することを特徴とする請求項１乃至請求項１６のいずれか１つに記載の裾長さ調節機能付き衣服。
【請求項２６】
前記目盛り線の間隔を１ｃｍとしたことを特徴とする請求項１乃至請求項２５のいずれか１つに記載の裾長さ調節機能付き衣服。
【請求項２７】
前記裏地は銀の膜を合成樹脂フィルムに挟んで細く切った銀の糸及び／または遠赤外線セラミックス及び／または静電気防止材をその一部に用いて織られたものであることを特徴とする請求項１乃至請求項２６のいずれか１つに記載の裾長さ調節機能付き衣服。
【発明の詳細な説明】
【０００１】
【発明の属する技術分野】
本発明は、ズボン（パンツ）等の衣服の裾長さを着用する人に合わせて極めて短時間で調節することができる裾長さ調節機能付き衣服に関するものであり、婦人用ズボン（パンツ）、紳士用ズボン（パンツ）等に適用できるものである。
【０００２】
なお、本発明の裾長さ調節機能付き衣服においては、「両面テープ」を用いるが、最終的には剥がさなければならないので、文具用・工作用等の通常の両面接着テープでは接着力が強すぎて衣服の生地に接着痕が残ってしまうので使えない。そこで、アパレル業界では、剥がれたときに生地自体に接着剤の痕がつかない適度な接着力のある剥がし易い接着剤を用いた両面接着テープがあるので、これを用いることとし、本明細書においては、特に断らない限りかかるアパレル用両面接着テープを「両面テープ」と呼ぶこととする。
【０００３】
【従来の技術】
衣料品店でスーツ・ズボン・パンツ等を購入しようとする際には、実際にスーツのズボン・単品のズボン・パンツを試着して、はく人の股下長さに合わせて裾を適当な位置で折り返して待ち針等で止め、折り返し部分を縫い糸が表側に殆ど出ないように特殊な縫い方（ルイス縫い、纏り縫い、かがり縫い等）でミシン縫いもしくは手縫いしてズボンやパンツの長さを調節しなければならない。
【０００４】
【発明が解決しようとする課題】
しかし、通常はこれらの縫い上げ作業は非常に時間がかかるため衣料品店では行なわれず、外注に出されて早くても翌日の夕方に仕上がってやっと受け取れるというケースが殆どである。また、稀に専用のミシンが衣料品店にあって、縫い上げ作業を大急ぎで行っても早くても１時間はかかり、買い求めたスーツや単品のズボンやパンツをその場ですぐに持って帰れないという問題点があった。
【０００５】
これに対して、股下を６６ｃｍ，６９ｃｍ，７２ｃｍ，７５ｃｍ，７９ｃｍ，…と３ｃｍ刻みで裾上げしてしまって、客に一番あったものを選択させるという販売方法を採っている小売店もあるが、３ｃｍ刻みでは粗すぎて客のニーズに十分に対応することは困難であり、また在庫を多く抱えなければならないという難点がある。
【０００６】
そこで、本発明は、婦人用ズボン等の衣服の裾長さを着用する人に合わせて極めて短時間で調節することができる裾長さ調節機能付き衣服の提供を課題とするものである。
【０００７】
【課題を解決するための手段】
請求項１の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、一定間隔で目盛り線を付けた裾上げ具を両面テープで貼り付けておき、前記衣服の試着または着用者の股下寸法から算出することによって裾上げ長さを決定し、前記裾上げ具を用いて前記目盛り線で見て前記表地及び前記裏地を仮の折り返し線から裾上げ長さだけ上がった新しい折り返し線で折り返し、アイロンを掛けるか仮止めするかしておいて、前記衣服の裾の対向する位置にも前記裾上げ具を用いて同様に裾上げを行い、前記衣服の裾の互いに対向する位置を両手で持って引張りながら裾の全周を前記表地及び前記裏地の前記新しい折り返し線で折り曲げて、前記裾の全周に亘ってアイロンを掛けた後、前記裏地の下端を前記裾の全周に亘って前記表地の裏側に接着するものである。
【０００８】
このように、本発明の裾長さ調節機能付き衣服においては、衣服の裾の裏側に筒状の裏地を上端と下端で縫付けて、上端においては縫い糸が表側に殆ど出ないように特殊な縫い方（主としてルイス縫い）で衣服の裏側に環状に縫い付ける作業を予め済ませてあるため、目盛り線を付けた裾上げ具を用いて表地及び裏地を仮の折り返し線から裾上げ長さだけ上がった新しい折り返し線で折り返し、この新しい折り返し線に裾の全周を合わせて折り返すことによって、表地の裾仕上がり線の位置が短時間で確定する。そこで、全周に亘ってアイロンを掛け、表地の裾仕上がり線と裏地の新しい折り返し線を強く付けた後は、裏地の下端がひらひらしないように表地の裏側に種々の方法で接着すれば完成である。以上の裾長さ調節の作業は両足で１０分程度（片足５分程度）で完了するため、顧客を長時間待たせることなく、その場で購入した衣服を持って帰ってもらうことができる。
【０００９】
このようにして、婦人用ズボン等の衣服の裾長さを着用する人に合わせて極めて短時間で調節することができる裾長さ調節機能付き衣服となる。
【００１０】
請求項２の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、平板状で長手方向の少なくとも先端部分が二股に分かれ、前記二股に分かれた部分の両方の内側先端及び内側内面にアパレル用の両面テープを貼り、前記二股に分かれた部分の外側に一定間隔で目盛り線を付けた裾上げ具を用意し、前記衣服の試着または着用者の股下寸法から算出することによって裾上げ長さを決定し、前記裾上げ具の前記目盛り線を前記裏地に当てて前記裾上げ長さまで折り返し、前記裾上げ具の前記両面テープの剥離紙を全て剥がして、前記二股に分かれた部分の内側先端のうち一方は前記裏地の下端に沿って貼り付け、もう一方は新しい折り返し線で前記表地と前記裏地を挟んで裏に貼り付け、内側内面の両面テープも全て前記裏地の表裏に貼り付け、余った部分で前記二股に分かれた部分同士を貼り合わせ、前記新しい折り返し線のところで裏地及び表地を前記二股に分かれた部分の一方とともに表側に折り曲げ、さらに前記新しい折り返し線を摘まむことによって前記二股に分かれた部分の他方も反対側に折り曲げて、前記新しい折り返し線を表地で軽く摘んだまま前記裾上げ具の下端を引き下げることによって、前記新しい折り返し線を下端にして前記二股に分かれた部分の内側に貼り付いた前記裏地を引き下げ、前記表地の前記新しい折り返し線を持ったまま前記裾上げ具の上端で前記表地を折り返して、前記表地及び前記裏地の前記新しい折り返し線にアイロンを掛け、前記衣服の裾の対向する位置にも前記裾上げ具を用いて同様に裾上げを行い、前記衣服の裾の対向する位置に付けられた前記表地及び前記裏地の前記新しい折り返し線をそれぞれ両手で持って引張りながら裾の全周を前記表地及び前記裏地の前記新しい折り返し線で折り曲げて、前記裾の全周に亘ってアイロンを掛けた後、前記裾上げ具及び前記両面テープを全て取り除き、前記裏地の下端を前記裾の全周に亘って前記表地の裏側に接着するものである。
【００１１】
このように、本発明においては、二股の目盛り線付き裾上げ具を用いて、試着等で決定された裾上げ長さを裏地において目盛り線で測定して裾上げ長さ分だけ裏地を折り返し、折り返した部分の裏地全長に裾上げ具の二股部分を予め二股の内側に貼り付けておいたアパレル用の両面テープで貼り付け、二股部分の余った分岐部分は折り曲げて二股の内側同士を接着して一体とする。そして、二股の部分で裏地を表地とともに前記折り曲げ部分で外側に折り返し、もう一方の二股の部分も同様に反対側の外側に折り返す。
【００１２】
このように、裏地を基準として表地の新しい折り返し線（裾仕上がり線）を決めるのが本発明の特徴であり、続いて表地の新しい折り返し線を摘んだまま裾上げ具を下方に引張ることによって、裏地の新しい折り返し線を下端にして二股部分の内側に貼り付けられた裏地部分を引っ張り出す。後は、表地の新しい折り返し線をしっかり持って表地を裾上げ具の上端で折り返せば、表地及び裏地の新しい裾位置が決まるので、裾上げ具の上からアイロンを掛けて新しい裾位置を確定させる。
【００１３】
それから、裾の約１８０度ずれた位置即ち向かい合った位置にも同様に裾上げ具を用いて裾上げを行って表地及び裏地の新しい裾位置を確定させる。これだけでは、まだ向かい合った２箇所の表地及び裏地の新しい裾位置が決まっただけなので、これら２箇所の表地及び裏地の新しい折り返し線を両手で持って引張ると、これら２箇所の間の表地及び裏地も新しい折り返し線に沿って折れ曲がろうとするので、指で摘んで全周に新しい折り返し線を付けてやる。そして、全周に亘ってアイロンを掛けて全周の新しい折り返し線を確定させたら、不要になった裾上げ具とそれに付随する両面テープを取り除き、裏地の裾を表地の裏に接着させれば完成である。
【００１４】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【００１５】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【００１６】
請求項３の発明にかかる裾長さ調節機能付き衣服は、請求項２の構成において、前記裾上げ具の外側にも長手方向に前記両面テープを貼っておき、前記表地の前記新しい折り返し線を持ったまま前記裾上げ具の上端で前記表地を折り返した後、前記表地及び前記裏地の前記新しい折り返し線にアイロンを掛ける代わりに、前記裾上げ具の外側の前記両面テープの剥離紙を剥がして前記表地の前記新しい折り返し線で前記裾上げ具を折り曲げて前記表地に貼り付けて仮止めするものである。
【００１７】
これによって、裾の一方の側の裾上げが済んだ時点で、裾の対向する位置の裾上げを行うときに、新しい折り返し線にアイロンを掛けて確定させる代わりに、裾上げ具の外側にも長手方向に両面テープを貼っておいてこれに表地の新しい折り返し線を貼り付けることによって仮止めができる。なお、この時点では、裏地は裾上げ具の内側に貼り付けられているので仮止めの必要はない。このように、両面テープで表地を仮止めすることによって、アイロンを掛けるよりもっと短時間で裾の対向する位置の裾上げに移行することができる。
【００１８】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【００１９】
請求項４の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、幅の異なる細長い長方形の紙もしくは布にそれぞれ先端から一定間隔で先端線に平行に目盛り線を付した２種類の目盛り紙を、前記表地と前記裏地の前記下端側の縫付け線に前記先端線が一致して前記２種類の目盛り紙の前記先端線が密着するように、前記２種類の目盛り紙のうち一方を前記表地に他方を前記裏地にそれぞれアパレル用の両面テープを用いて貼り付けておき、前記衣服の試着または着用者の股下寸法から算出することによって裾上げ長さを決定し、決定した裾上げ長さに相当する前記目盛り線において、前記一方の目盛り紙を前記表地とともに内側に折り返し、前記他方の目盛り紙を前記裏地とともに内側に折り返して、新しい折り返し線にそれぞれアイロンを掛け、前記衣服の裾の対向する位置にも前記２種類の目盛り紙を同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記２種類の目盛り紙及び前記両面テープを全て取り除き、前記裏地の下端を前記裾の全周に亘って前記表地の裏側に接着するものである。
【００２０】
このように、本発明においては、目盛り線の付いた２種類の紙を表地と裏地の縫い合せ線で突き合わせてそれぞれ両面テープで貼り付けておくことによって、決定した裾上げ長さ分だけ目盛り線を数えてそこで表地及び裏地を内側に折り返すことによって簡単に新しい折り返し線が決定する。そこで、アイロンを掛けて新しい折り返し線を確定しておいて、裾の対向する部分も同様に新しい折り返し線を確定し、両手で引張ることによって全周に亘って新しい折り返し線を付けてアイロンを掛けて確定し、後は２種類の目盛り紙と付随する両面テープを取り除いて、裏地の裾を表地の裏に接着させれば完成である。
【００２１】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【００２２】
このようにして、予め所定の目盛り紙を表地及び裏地に貼り付けておくことによって、裾長さの調節がスムースにできて、婦人用ズボン等の衣服の裾長さを着用する人に合わせて極めて短時間で調節することができる裾長さ調節機能付き衣服となる。
【００２３】
請求項５の発明にかかる裾長さ調節機能付き衣服は、請求項４の構成において、前記２種類の目盛り紙のうち幅の広い目盛り紙が先端側から中央部分を後端の手前まで切り取られた門のような形状であり、２つに分かれた前記先端の前記先端線がそれぞれ前記縫付け線に一致するように前記両面テープで前記表地または前記裏地に貼り付けておき、前記２種類の目盛り紙のうち幅の狭い目盛り紙を、前記幅の広い目盛り紙の２つに分かれた前記先端線及び前記縫付け線にそれぞれ先端線が密着するように２枚前記両面テープで前記裏地または前記表地に貼り付けておくものである。
【００２４】
これによって、目盛り線の付いた目盛り紙が２箇所に広がって貼り付けられることになり、決定した裾上げ長さで折り返す幅もより広くなるので裾の１箇所に付き新しい折り返し線をより長く確定させることができる。しかも、２種類の目盛り紙のいずれも２箇所の目盛り紙の間は布地なので、裾の対向する２箇所を両手で持って引っ張るときでも幅の広い目盛り紙が突っ張ることもなく、スムースに全周に亘って新しい折り返し線を付けることができる。
【００２５】
このようにして、より目盛り線に沿った折り返しがやり易くなり、衣服の裾長さを着用する人に合わせて極めて短時間で調節することができる裾長さ調節機能付き衣服となる。
【００２６】
請求項６の発明にかかる裾長さ調節機能付き衣服は、請求項４の構成において、前記２種類の目盛り紙のうち幅の広い目盛り紙が先端側から少し中に入った中央部分を後端の手前まで切り取れるようにミシン目を付けておき、前記２種類の目盛り紙のうち幅の狭い目盛り紙を前記中央部分の両側に１枚ずつ接続した一体の目盛り紙として、前記中央部分には表側に前記両面テープを一部に縦方向にまたは全面に亘って貼り付けて、前記両面テープを貼り付けた部分には剥離紙を貼り付けておき、使用時には前記一体の目盛り紙の幅の変化する線を前記縫付け線に一致するように前記両面テープで前記表地及び前記裏地に貼り付けておき、前記決定した裾上げ長さに相当する前記目盛り線において、前記一体の目盛り紙を前記表地及び前記裏地とともに内側に折り返したとき、新しい折り返し線にそれぞれアイロンを掛ける代わりに、前記中央部分を前記ミシン目で切り離して前記表地側に折り返し、前記剥離紙を剥がして前記表地の前記新しい折り返し線に前記両面テープを貼り付けて仮止めするものである。
【００２７】
これによって、裏地は両面テープで一体の目盛り紙の一部に仮止めされているので、表地の前記新しい折り返し線を中央部分の表面に貼り付けた両面テープで仮止めすることによって、アイロンを掛けて確定させる必要がなくなり、より短時間で裾の対向する位置の裾上げに移行することができる。また、２種類の目盛り紙が１つの部品となって保管・取り扱いが非常に容易になる。
【００２８】
このようにして、より目盛り線に沿った折り返しが短時間でやれるようになり、衣服の裾長さを着用する人に合わせて極めて短時間で調節することができる裾長さ調節機能付き衣服となる。
【００２９】
請求項７の発明にかかる裾長さ調節機能付き衣服は、請求項４または請求項５の構成において、前記２種類の目盛り紙をそれぞれの先端線で接続して一体の目盛り紙とし、使用時には幅の変化する線を前記縫付け線に一致するように前記両面テープで前記表地及び前記裏地に貼り付けておくものである。
【００３０】
これによって、２種類の目盛り紙が１つの部品となって保管・取り扱いが非常に容易になり、使用時には幅の変化する線を縫付け線に一致するように予め両面テープで表地及び裏地に貼り付けておけば良いだけなので、目盛り線による裾上げがより簡単になる。
【００３１】
このようにして、より目盛り線に沿った折り返しがやり易くなり、衣服の裾長さを着用する人に合わせて極めて短時間で調節することができる裾長さ調節機能付き衣服となる。
【００３２】
請求項８の発明にかかる裾長さ調節機能付き衣服は、請求項４乃至請求項７のいずれか１つの構成において、前記目盛り紙の前記目盛り線に前記先端線または前記幅の変化する線をゼロとして１から順に数字を付したものである。
【００３３】
これによって、決定した裾上げ長さに相当する目盛り線を捜すときに、目盛り線に数字が付いているので数え間違えることがなく、より確実に表地及び裏地の折り返し線を決定することができる。
【００３４】
このようにして、より目盛り線に沿った折り返しがやり易くなり、衣服の裾長さを着用する人に合わせて極めて短時間で調節することができる裾長さ調節機能付き衣服となる。
【００３５】
請求項９の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、先端が一直線で幅の広いある程度強度があり表裏に一定間隔で目盛り線を付けた平板状の裾上げ具を、前記先端が前記表地と前記裏地の前記下端側の縫付け線に一致するように、前記先端部分を前記表地にアパレル用の両面テープを用いて貼り付けておき、先端から一定間隔で目盛り線を付けた細長いシールをやはり前記先端が前記縫付け線に一致するように前記裾上げ具の先端近傍にほぼ全面を前記裏地にアパレル用の両面テープを用いて貼り付けておき、前記衣服の試着または着用者の股下寸法から算出することによって裾上げ長さを決定し、前記裾上げ具を持って前記表地を滑らせ前記裏地を巻き込みながら前記裾上げ長さまで押し込み、前記裾上げ長さに相当する前記目盛り線において、前記表地を内側に折り返し、前記細長いシールを前記裏地とともに内側に折り返して、新しい折り返し線にそれぞれアイロンを掛け、前記衣服の裾の対向する位置にも前記裾上げ具と前記細長いシールを同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記裾上げ具と前記細長いシール及び前記両面テープを全て取り除き、前記裏地の下端を前記裾の全周に亘って前記表地の裏側に接着するものである。
【００３６】
このように、本発明においては、先端が一直線で幅の広いある程度強度があり表裏に一定間隔で目盛り線を付けた平板状の裾上げ具によって、決定した裾上げ長さだけ表地と裏地を縫付け線から奥へ押し込んで行くことによって、裾上げを行うものである。このとき、裾上げ具の先端は表地側に貼り付けられているので、裏地を一緒に巻き込み易いように、また裾上げ長さを裏地についても見られるように、目盛り線付きの細長いシールを裏地にも裾上げ具の先端近傍にやはり先端を縫付け線に一致させて両面テープで貼り付けてある。
【００３７】
裾上げ長さだけ表地及び裏地を押し込んだら、裾上げ長さに相当する目盛り線において表地及び裏地をそれぞれ内側に折り返して、新しい折り返し線にアイロンを掛けて確定させ、裾の対向する位置においても同様に裾上げを行って、両手で引張ることによって全周に亘って新しい折り返し線を付けてアイロンを掛けて確定し、後は裾上げ具と細長いシールと付随する両面テープを取り除いて、裏地の裾を表地の裏に接着させれば完成である。
【００３８】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【００３９】
このようにして、予め裾上げ具と細長いシールを表地及び裏地に貼り付けておくことによって、裾長さの調節がスムースにできて、婦人用ズボン等の衣服の裾長さを着用する人に合わせて極めて短時間で調節することができる裾長さ調節機能付き衣服となる。
【００４０】
請求項１０の発明にかかる裾長さ調節機能付き衣服は、請求項９の構成において、前記裾上げ具は、前記裾上げ長さを決定した後に、前記縫付け線に一致するように前記先端部分を前記表地に前記両面テープを用いて貼り付けて裾上げを行うものである。
【００４１】
前記裾上げ具は、先端が一直線で幅の広いある程度強度があり表裏に一定間隔で目盛り線を付けた平板状のものであり、しかもその先端が縫付け線に一致するように表地に貼り付けて使用するものである。したがって、先端を除く全体が裾上げ前の衣服の裾から垂れ下がって見えることになり、衣料品店においては店頭に陳列しておくのに見栄えが悪いと感じたり、顧客においても試着がし難いと感じる可能性がある。そこで、この裾上げ具（裾の対向する位置に２個取り付けられる。）は、陳列時、試着時にはまだ付けないでおき、試着が済んで（或いは股下長さから算出して）裾上げ長さが決定してから取付けることにしたものである。なお、細長いシールは裏地に貼り付けられるものであり、堅さもないものであるから、陳列時、試着時に問題になることはない。
【００４２】
このようにして、陳列時の見栄えも良く、試着もし易く、しかも裾長さの調節がスムースにできて、婦人用ズボン等の衣服の裾長さを着用する人に合わせて極めて短時間で調節することができる裾長さ調節機能付き衣服となる。
【００４３】
請求項１１の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、細長い長方形またはその他の細長い形状、或いは細長い長方形またはその他の細長い形状が複数平行に並べられて上端で接続された形状、或いは細長い長方形またはその他の細長い形状が途中で幅が一旦細くなって再び元の幅に戻って同じ長さだけ伸びた上下対称の形状の紙シールに、下端または前記幅が一旦細くなった部分から一定間隔で目盛り線を付し、前記下端または前記幅が一旦細くなった部分が前記裏地の下端に一致するように、前記裏地または前記表地にアパレル用の両面テープを用いて貼り付けておき、前記衣服の試着または着用者の股下寸法から算出することによって裾上げ長さを決定し、前記表地の裏側の下端近傍を持って前記紙シールを下端から剥がしながら前記裏地を巻き込みつつ前記表地を奥へ押し込んで行き、前記紙シールの前記目盛り線で見て前記裾上げ長さまで前記裏地または前記表地が押し込まれたら、前記裾上げ長さで前記裏地及び前記表地をそれぞれ内側へ折り返して新しい折り返し線にそれぞれアイロンを掛け、前記衣服の裾の対向する位置にも前記紙シールを同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記紙シール及び前記両面テープを全て取り除き、前記裏地の下端を前記裾の全周に亘って前記表地の裏側に接着するものである。
【００４４】
ここで、「その他の細長い形状」としては細長い三角形・平行四辺形・台形・五角形以上の多角形・樽形等がある。
【００４５】
本発明の裾長さ調節機能付き衣服は、請求項８及び請求項９における裾上げ具を用いずに、両手の指を用いて表地を裏地とともに押し込んで行くものである。この際、裾上げ長さの目安になるように裏地に細長い長方形またはその他の細長い形状、或いは細長い長方形等が複数平行に並べられて上端で接続された形状、或いは細長い長方形等が途中で幅が一旦細くなって再び元の幅に戻って同じ長さだけ伸びた上下対称の形状の紙シールに一定間隔で目盛り線を付したものを裏地に両面テープで予め貼り付けておく。
【００４６】
そして、表地の裏側のヘム部分を指先で持って表地を縫付け線の奥へ押し込んで行くと、裏地もそれに伴って巻き込まれながら紙シールが下端から剥がれて行く。これは、前述の如く、両面テープがアパレル用の剥がれ易いものだからである。そして、紙シールの目盛り線で見て決定した裾上げ長さまで表地が押し込まれたら、裾上げ長さで表地及び裏地をそれぞれ内側へ折り返して新しい折り返し線にアイロンを掛けて確定する。さらに、裾の対向する位置においても同様に裾上げを行って、両手で引張ることによって全周に亘って新しい折り返し線を付けてアイロンを掛けて確定し、後は紙シールと付随する両面テープを取り除いて、裏地の裾を表地の裏に接着させれば完成である。
【００４７】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【００４８】
このようにして、予め細長い紙シールを裏地に貼り付けておくことによって、裾長さの調節がスムースにできて、婦人用ズボン等の衣服の裾長さを着用する人に合わせて極めて短時間で調節することができる裾長さ調節機能付き衣服となる。
【００４９】
請求項１２の発明にかかる裾長さ調節機能付き衣服は、請求項１１の構成において、前記裏地に前記裏地の下端線を基準として前記紙シールと同一間隔で前記下端線に平行に前記衣服の裾の対向する２箇所の近傍または全周に亘って目盛り線を付け、或いは前記目盛り線を含む柄がプリントされている生地を裏地として用いて、前記紙シールには前記目盛り線を付しまたは前記目盛り線を付さずに前記裏地または前記表地に前記両面テープを用いて貼り付けて同様に裾上げを行うものである。
【００５０】
ここで、「前記目盛り線を含む柄」としては、前記目盛り線と同一間隔の横ストライプ模様、或いはそれに縦ストライプが加わった格子柄、または斜め線が加わった模様等がある。
【００５１】
このように、裏地にも紙シールの目盛り線と同一間隔の目盛り線またはストライプ模様が付されていれば、より安心して裾上げができ、さらには紙シールには目盛り線が付されていなくても裏地の目盛り線を頼りに裾上げを行うことができる。
【００５２】
このようにして、より確実に、裾長さの調節がスムースにできて、婦人用ズボン等の衣服の裾長さを着用する人に合わせて極めて短時間で調節することができる裾長さ調節機能付き衣服となる。
【００５３】
請求項１３の発明にかかる裾長さ調節機能付き衣服は、請求項１２の構成において、前記紙シールを用いず、前記裏地の前記目盛り線を目印にして同様に裾上げを行うものである。
【００５４】
上述の如く、裏地にも紙シールの目盛り線と同一間隔の目盛り線またはストライプ模様が付されていれば、紙シールには目盛り線が付されていなくても裏地の目盛り線を頼りに裾上げを行うことができる。したがって、最初から紙シールを裏地に貼り付けずに裏地の目盛り線を目印に裾上げを行うことができ、紙シールは不要となる。
【００５５】
このようにして、より簡単に、裾長さの調節がスムースにできて、婦人用ズボン等の衣服の裾長さを着用する人に合わせて極めて短時間で調節することができる裾長さ調節機能付き衣服となる。
【００５６】
請求項１４の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、折り曲げ自在な厚手の材料からなる長さも長く幅も広い長方形の裾上げ具に上端と下端の中間に折り曲げ中心線を付け、この折り曲げ中心線に平行に目盛り線を一定間隔で上半分は表面だけに、下半分は表裏両面に目盛り線を付け、前記折り曲げ中心線から上半分は裏側にアパレル用の両面テープを貼って前記折り曲げ中心線が前記裏地の下端に一致するように前記裏地に貼り付けておき、前記衣服の試着または着用者の股下寸法から算出することによって裾上げ長さを決定し、前記裾上げ具を前記折り曲げ中心線から手前に折り曲げて、折り曲げられた前記裾上げ具の前記上半分とともに浮き上る前記裏地を前記裾上げ具の上端の両面テープから剥がして折り返しながら前記表地を前記裾上げ具の前記下半分とともに奥へ押し込んで行き、前記表地及び前記裏地が前記裾上げ具の目盛り線で見て前記裾上げ長さまで折り返されたら、前記裏地及び前記表地をそれぞれ内側へ折り返して新しい折り返し線にそれぞれアイロンを掛け、前記衣服の裾の対向する位置にも前記裾上げ具を同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記裾上げ具及び前記両面テープを全て取り除き、前記裏地の下端を前記裾の全周に亘って前記表地の裏側に接着するものである。
【００５７】
本発明の裾長さ調節機能付き衣服は、折り曲げ自在な厚手の材料からなる長さも長く幅も広い長方形の裾上げ具を縦方向の中間位置に折り曲げ中心線を付け、この折り曲げ中心線より上の部分には裏側に両面テープを付けて裏地に貼り付け、折り曲げ中心線で２つに折り曲げることによって上半分に貼り付いた裏地を浮かせることによって裾上げを行うものである。即ち、決定した裾上げ長さに達するまで裏地は上端から両面テープを剥がして裾上げ具から離して折り返して行き、表地は折り曲げた裾上げ具の下半分とともに奥へ押し込んで行き、裾上げ具の目盛り線で見て決定した裾上げ長さまで表地が押し込まれたら、裾上げ長さで表地及び裏地をそれぞれ内側へ折り返して新しい折り返し線にアイロンを掛けて確定する。さらに、裾の対向する位置においても同様に裾上げを行って、両手で引張ることによって全周に亘って新しい折り返し線を付けてアイロンを掛けて確定し、後は裾上げ具と付随する両面テープを取り除いて、裏地の裾を表地の裏に接着させれば完成である。
【００５８】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【００５９】
このようにして、予め目盛り付き裾上げ具の上半分を裏地に貼り付けておくことによって、裾長さの調節がスムースにできて、婦人用ズボン等の衣服の裾長さを着用する人に合わせて極めて短時間で調節することができる裾長さ調節機能付き衣服となる。
【００６０】
請求項１５の発明にかかる裾長さ調節機能付き衣服は、請求項１４の構成において、前記裾上げ具の下半分の裏側にも前記両面テープを貼り付けて表面の剥離紙は剥がさずにおき、前記表地が前記新しい折り返し線で折り返されたときに表面の剥離紙を剥がして前記裾上げ具の下半分を前記表地の前記新しい折り返し線に貼り付けて仮止めするものである。
【００６１】
ここで、裏地は裾上げ具の上半分の裏側に両面テープで貼り付けられているので、新しい折り返し線が決定したときに上端から新しい折り返し線までを剥がすことによって仮止めされている。そこで、裾上げ具の下半分の裏側にも両面テープを貼り付けておいて、表地の新しい折り返し線が決定したときにこの両面テープの剥離紙を剥がして表地の新しい折り返し線に貼り付けることによって仮止めすることができる。このように、両面テープで表地を仮止めすることによって、アイロンを掛けるよりもっと短時間で裾の対向する位置の裾上げに移行することができる。
【００６２】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【００６３】
請求項１６の発明にかかる裾長さ調節機能付き衣服は、請求項１４または請求項１５の構成において、前記裾上げ具の上端に一または二以上のストッパーを突出させ、前記裾上げ具を前記折り曲げ中心線で手前に折り曲げたときに対応する前記裾上げ具の下端近傍に前記ストッパーを貫通させて止める一または二以上の切り込みを設けたものである。
【００６４】
かかるストッパーを設けて切り込みに貫通させて止めることによって、折り曲げ中心線で手前に折り曲げた裾上げ具は２つに折れ曲がった状態で固定され、上端と下端が離れることがないので、裾上げが非常にやり易くなり、また新しい折り返し線で表地及び裏地を折り返したときには仮止めの役目も果たす。
【００６５】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【００６６】
請求項１７の発明にかかる裾長さ調節機能付き衣服は、請求項１乃至請求項１６のいずれか１つの構成において、前記衣服の裾の全周または半周分の長さに切った熱接着テープの片面に、細かく切った工作用の両面接着テープを間隔をおいて複数枚貼り付け、表面側の剥離紙は剥がさずにおくか、または前記表面側の剥離紙を全て剥がして前記熱接着テープの全長に亘る長い剥離紙を前記工作用の両面接着テープの接着面に止めることによって貼り付けたものを用意しておき、前記表地及び前記裏地の新しい折り返し線の間を開いて、前記複数枚の工作用の両面接着テープの表面側の剥離紙を全て剥がすか、前記長い剥離紙を剥がして、前記裏地の新しい折り返し線に沿って前記裏地の下端の前記表地側に前記熱接着テープを全周に亘って貼り付け、アイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着するものである。
【００６７】
ここで、「熱接着テープ」とは、レース様の薄くて丈夫なテープで、２枚の布地の間に挟んでアイロン等で加熱することによって、溶融して２枚の布地を接着するものである。
【００６８】
かかる熱接着テープを衣服の裾の全周または半周の長さに切って、常温では接着力がないために工作用の通常の両面接着テープを細かく切って間隔を空けて貼り付けておくことにより、接着しようとする表地及び裏地の新しい折り返し線の下端に仮止めする。このように、熱接着テープを裾の全周の長さに切った場合は１枚、裾の半周の長さに切った場合は２枚、裾の全周に亘って仮止めしておき、まずアイロンを裏地の裏側から裾の全周に亘って掛けて熱接着テープを融かして表地と裏地を接着させ、最後にスチームアイロンを掛けて仕上げる。
【００６９】
最初からスチームアイロンを掛けて熱接着テープを融かすとともに仕上げることをしないのは、スチームアイロンを掛けるとしっかり固定されてもう修正が効かないのに対して、アイロンを掛けて熱溶融させた段階では折り目がずれたりした場合でも未だ修正することができるからである。なお、熱接着テープを仮止めしていた細かい両面接着テープは溶融した熱接着テープとともに表地と裏地の間に隠れてしまうので、除去しなくても衣服の裾の見栄えを損なうことはない。
【００７０】
このようにして、裾の全周または半周の長さに切って仮止め用の工作用両面接着テープを間隔を空けて貼り付けたものを予め用意しておくことによって、裾上げの最終段階である接着工程を短時間でスムースに行うことができ、婦人用ズボン等の衣服の裾長さを着用する人に合わせて極めて短時間で調節することができる裾長さ調節機能付き衣服となる。
【００７１】
請求項１８の発明にかかる裾長さ調節機能付き衣服は、請求項１７の構成において、前記裾上げ長さが決定した段階で前記裏地及び表地を前記裾上げ長さまで折り返し、前記衣服の裾の全周または半周分の長さに切った熱接着テープの片面に細かく切った工作用の両面接着テープを間隔をおいて複数枚貼り付けたものを、前記折り返した裏地の裾に全周に亘って予め貼り付けておいてから裾上げの作業を開始するものである。
【００７２】
即ち、前記工作用の両面接着テープ付き熱接着テープを用いて、剥離紙を剥がして、裏地の下端に両面接着テープの接着力で全周或いは半周分の熱接着テープを貼り付ける。そして、半周分の場合は残りの半周分の熱接着テープを貼り付けた後、裾上げの作業を行う。その後、裏地の下端の裏面からアイロンを掛ければ、この部分の裏地の表側には既に裾全周に熱接着テープが貼り付けられているので、裏地の表側下端が表地の裏側に熱接着されて、後はスチームアイロンで裾全周を仕上げて裾上げが完了する。
【００７３】
このようにして、裾の全周または半周の長さに切って仮止め用の工作用両面接着テープを間隔を空けて貼り付けたものを予め貼り付けておくことによって、裾上げの最終段階である接着工程を短時間でスムースに行うことができ、婦人用ズボン等の衣服の裾長さを着用する人に合わせて極めて短時間で調節することができる裾長さ調節機能付き衣服となる。
【００７４】
請求項１９の発明にかかる裾長さ調節機能付き衣服は、請求項１乃至請求項１６のいずれか１つの構成において、熱接着テープを短く切ったものの片面の両端に細かく切った工作用の両面接着テープを貼り付けたものを前記裾の全周分だけ用意しておき、前記表地及び前記裏地の新しい折り返し線の間を開いて、前記熱接着テープを短く切ったものの両端の工作用の両面接着テープの剥離紙を剥がしながら、前記裏地の新しい折り返し線に沿って前記裏地の下端の前記表地側に前記熱接着テープを貼り付け、全周に亘って貼り付け終わったらアイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着するものである。
【００７５】
この接着方法においては、同じく熱接着テープを用いているが、より短く切り分けて両端に細かく切った工作用の両面接着テープを貼り付けておき、熱接着テープを裏地の下端に仮止めするために用いる。このように、熱接着テープを短く切り分けて貼り合わせて行く方が、熱接着テープを全周または半周分の長さに切って一度に貼り付けるよりも容易であり、裏地の下端に平行に真っ直ぐ貼り合わせて行くことができる。全周または半周分の長い熱接着テープは、１箇所の両面接着テープを貼り付けているときに未だ貼り付けられていない両面接着テープが衣服の裾の表や裏に貼り付いたりして、初心者には綺麗に裏地の下端に平行に一度に貼り付けるのは容易ではない。
【００７６】
このようにして、熱接着テープをより短く切り分けて両端に細かく切った工作用の両面接着テープを貼り付けたものを裾全周分予め用意しておくことによって、裾上げの最終段階である接着工程を、より容易に短時間でスムースに行うことができ、婦人用ズボン等の衣服の裾長さを着用する人に合わせて極めて短時間で調節することができる裾長さ調節機能付き衣服となる。
【００７７】
請求項２０の発明にかかる裾長さ調節機能付き衣服は、請求項１乃至請求項１６のいずれか１つの構成において、熱接着テープを短く切ったものの両端の互いに表裏反対側に細かく切った工作用の両面接着テープを、裏側は前記細かく切った工作用の両面接着テープの幅だけ端からスペースをとって貼り付けたものを前記裾の全周分だけ用意しておき、前記表地及び前記裏地の新しい折り返し線の間を開いて、前記熱接着テープを短く切ったものの両端の工作用の両面接着テープの剥離紙を剥がしながら、前記裏側の工作用の両面接着テープは前記裏地の新しい折り返し線に沿って前記裏地の下端の前記表地側に前記熱接着テープを貼り付け、前記表側の工作用の両面接着テープは先に貼り付けた前記熱接着テープの裏側の前記スペースに貼り付けて前記熱接着テープを次々に接続しながら前記裏地の新しい折り返し線に沿って前記裏地の下端の前記表地側に貼り付けて行き、全周に亘って貼り付け終わったらアイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着するものである。
【００７８】
この接着方法においても、同じく熱接着テープをより短く切り分けて両端の表と裏に互い違いに細かく切った工作用の両面接着テープを貼り付けておき、裏側の両面接着テープは熱接着テープを裏地の下端に仮止めするために用い、表側の両面接着テープは熱接着テープ同士をつなぎ合わせて行くために用いる。このように、熱接着テープを短く切り分けて貼り合わせて行く方が、熱接着テープを全周または半周分の長さに切って一度に貼り付けるよりも容易であり、裏地の下端に平行に真っ直ぐ貼り合わせて行くことができる。また、このように端を重ね合わせて熱接着テープを貼り付けて行く方が隙間ができずに貼り付けることができる。
【００７９】
このようにして、熱接着テープをより短く切り分けて両端の表と裏に互い違いに細かく切った工作用の両面接着テープを貼り付けたものを裾全周分予め用意しておくことによって、裾上げの最終段階である接着工程を、より容易に短時間でスムースに行うことができ、婦人用ズボン等の衣服の裾長さを着用する人に合わせて極めて短時間で調節することができる裾長さ調節機能付き衣服となる。
【００８０】
請求項２１の発明にかかる裾長さ調節機能付き衣服は、請求項１乃至請求項１６のいずれか１つの構成において、熱接着テープを前記裾全周の長さに切って、前記裏地の新しい折り返し線に沿って前記裏地の下端の前記表地側に前記熱接着テープを当てて、小型で薄型のクリップを用いて適当な間隔で止めて行き、全周に亘って止め終わったら、まず前記クリップで止めてある部分以外の下端にアイロンを掛けて前記熱接着テープを融かして前記表地と前記裏地を熱接着させ、前記クリップで止めてある部分のみが残ったところで前記クリップを全て引き抜いて取り除き前記クリップで止めてあった部分にアイロンを掛けて前記表地と前記裏地を熱接着させ、最後に全周に亘ってスチームアイロンを掛けて仕上げることによって、前記裏地の下端を前記裾の全周に亘って前記表地の裏側に接着するものである。
【００８１】
ここで、「小型で薄型のクリップ」としては、ゼムクリップ、ゼムクリップＶ形、厚紙製クリップ等がある。これらのクリップを用いて、裾全周の長さに切った熱接着テープを裏地の新しい折り返し線（下端）に沿って、適当な間隔で全周に亘って止める。ここで、クリップごと裏地の裏から全周に亘ってアイロンを掛けても熱接着テープを溶融させて裏地を表地の裏に熱接着させることは可能であるが、ゼムクリップ、ゼムクリップＶ形等は硬い金属製であるために、クリップの跡が表地及び裏地の裾に付いてしまう。特に、表地に付いたクリップの跡は衣服の商品価値を大きく下落させてしまう。
【００８２】
そこで、まずクリップで止めていない部分のみにアイロンを掛けて裏地を表地の裏に熱接着させて、全周の形が整ったところでクリップを全て取り除いて、クリップで止めてあった部分にも全てアイロンを掛けて裏地を表地の裏に熱接着させる。そして、最後に全周に亘ってスチームアイロンを掛けて仕上げる。この接着方法は、次に述べる厚紙製クリップのみを用いる方法に比べると多少手間がかかるが、市販の小型クリップを用いることができ、厚紙製クリップをわざわざ製作しなくても良いという特長がある。
【００８３】
このようにして、熱接着テープを裏地の新しい折り返し線に沿って適当な間隔でクリップで止め、先にクリップで止めてある周辺以外の部分を熱接着し、それからクリップを取り除いてクリップで止めてあった周辺部分を熱接着することによって、裾上げの最終段階である接着工程を短時間でクリップの跡を付けることなくスムースに行うことができ、婦人用ズボン等の衣服の裾長さを着用する人に合わせて極めて短時間で調節することができる裾長さ調節機能付き衣服となる。
【００８４】
請求項２２の発明にかかる裾長さ調節機能付き衣服は、請求項２１の構成において、前記クリップとして厚紙製のクリップを用いて、前記厚紙製のクリップで止めてある部分も含めて全周に亘ってアイロンを掛けて前記熱接着テープを融かして前記表地と前記裏地を熱接着させ、その後前記厚紙製のクリップを取り除いて最後に全周に亘ってスチームアイロンを掛けて仕上げるものである。
【００８５】
このように、本接着方法においては、特別に作製した厚紙製のクリップを用いて熱接着テープを裏地の新しい折り返し線に沿って適当な間隔で厚紙製クリップで止め、厚紙製クリップで止めてある部分も含めて裾の全周に亘って１回アイロンを掛けるだけで、裾の全周に亘って熱接着テープを溶融させて裏地を表地の裏に熱接着させることができる。後は、厚紙製クリップを全て取り除いて全周に亘ってスチームアイロンを掛けて仕上げればよい。したがって、請求項２１の接着方法に比べてより短時間で仕上げることができる。
【００８６】
このようにして、特製の厚紙製クリップを必要数用意しておくだけで、裾上げの最終段階である接着工程を、より短時間でスムースに行うことができ、婦人用ズボン等の衣服の裾長さを着用する人に合わせて極めて短時間で調節することができる裾長さ調節機能付き衣服となる。
【００８７】
請求項２３の発明にかかる裾長さ調節機能付き衣服は、請求項１乃至請求項１６のいずれか１つの構成において、熱接着糸またはそれを鎖状に編んだものを前記裾全周の長さに切って、または適当な本数に切り分けて、前記裏地の新しい折り返し線に沿って前記裏地の下端の前記表地側に前記熱接着糸を両面接着シールを用いて適当な間隔で止めて行き、全周に亘って止め終わったら、全周に亘ってアイロンを掛けて前記熱接着糸を融かして前記表地と前記裏地を熱接着させ、最後に全周に亘ってスチームアイロンを掛けて仕上げることによって、前記裏地の下端を前記裾の全周に亘って前記表地の裏側に接着するものである。
【００８８】
ここで、「熱接着糸」とは、太めで丈夫な糸であり熱接着テープと同様に２枚の布地の間に挟んでアイロン等で加熱することによって溶融し、２枚の布地を熱接着するものである。糸とは言っても加熱溶融するときはある程度の幅に拡がるので、１本でも十分な接着力が得られるし、熱接着糸を予め鎖状に編んでおけば、さらに広い範囲に亘って十分な接着力が得られる。これらを裾全周の長さに切ってまたは適当な本数に切り分けて、両面接着シールで適当な間隔で裏地の下端に沿って止めて行き、全周止め終わったらアイロン掛けで熱接着し、スチームアイロンで仕上げる。
【００８９】
このようにして、熱接着糸またはそれを鎖状に編んだものと両面シールを予め用意しておくことによって、裾上げの最終段階である接着工程を、より短時間でスムースに行うことができ、婦人用ズボン等の衣服の裾長さを着用する人に合わせて極めて短時間で調節することができる裾長さ調節機能付き衣服となる。
【００９０】
請求項２４の発明にかかる裾長さ調節機能付き衣服は、請求項１乃至請求項１６のいずれか１つの構成において、前記表地及び前記裏地の新しい折り返し線の間に熱接着糸またはそれを鎖状に編んだものの端を入れて順に前記熱接着糸またはそれを鎖状に編んだものを入れながらアイロンを掛けて前記熱接着糸を融かして前記表地と前記裏地を熱接着させて行き、全周に亘ってアイロンを掛けて前記熱接着糸を融かして前記表地と前記裏地を熱接着させ終わったら、最後に全周に亘ってスチームアイロンを掛けて仕上げることによって、前記裏地の下端を前記裾の全周に亘って前記表地の裏側に接着するものである。
【００９１】
このように、熱接着糸またはそれを鎖状に編んだものを全周に貼り付けておくのでなく、熱接着糸またはそれを鎖状に編んだものを端から裏地と表地の間に入れながらアイロンを掛けて、裏地を表地の裏側に熱接着させて行く方法もある。熟練者であれば一々仮止めしてからアイロンを掛けるより、この方法の方が早くできる可能性がある。
【００９２】
請求項２５の発明にかかる裾長さ調節機能付き衣服は、請求項１乃至請求項１６のいずれか１つの構成において、前記表地及び前記裏地の新しい折り返し線の間の前記裏地に布地用の液体接着剤を塗り付けて前記液体接着剤が乾かないうちに前記表地の裏に貼り合わせることによって、前記裏地の下端を前記裾の全周に亘って前記表地の裏側に接着するものである。
【００９３】
ここで、表地は折り返されて二重になっているので、裏地に布地用の液体接着剤を多少多めに塗り付けても、表地の外側まで染み出す恐れはなく衣服の裾の外観を損ねる心配はない。
【００９４】
このようにして、裏地に布地用の液体接着剤を塗り付けて表地の裏に貼り合わせることによって、糸も両面テープもアイロンも使わずに、極めて容易に裾上げの最終段階である接着工程を行うことができ、婦人用ズボン等の衣服の裾長さを着用する人に合わせて極めて短時間で調節することができる裾長さ調節機能付き衣服となる。
【００９５】
請求項２６の発明にかかる裾長さ調節機能付き衣服は、請求項１乃至請求項２５のいずれか１つの構成において、前記目盛り線の間隔を１ｃｍとしたものである。
【００９６】
請求項１乃至請求項２５の構成においては、目盛り線の間隔は一定間隔として特に単位は定めていなかった。したがって、インチ単位でもフィート単位でもヤード単位でも寸単位でも、とにかく裾上げ長さがわかれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムースに裾上げ作業を行うことができる。
【００９７】
請求項２７の発明にかかる裾長さ調節機能付き衣服は、請求項１乃至請求項２６のいずれか１つの構成において、前記裏地は銀の膜を合成樹脂フィルムに挟んで細く切った銀の糸及び／または遠赤外線セラミックス及び／または静電気防止材をその一部に用いて織られたものである。
【００９８】
このような銀の糸を含む裏地は、銀の糸が電気を極めて良く通すため静電気が溜まることがなく、衣服の裾のまとわり付き等の静電気による弊害が完全に防止される。また、銀は抗菌性・防臭効果を有する金属であり、銀の糸の細く切った断面に露出している銀から流れ出る銀イオンによって、半永久的に抗菌性・防臭効果が発揮される。さらに、銀は熱伝導性に優れるとともに赤外線を反射する機能を有している。このため、銀の糸を含む裏地によって、外気が熱い場合には衣服内は涼しく、外気が寒い場合には衣服内は暖かいという熱遮断機能をも発揮する。
【００９９】
また、遠赤外線セラミックスを含む裏地は、遠赤外線セラミックスが遠赤外線を発する機能を有するために外気が寒い場合でも衣服内は暖かいという保温効果を発揮する。さらに、静電気防止材を含む裏地は、銀の糸と同様に静電気が溜まることがなく、衣服の裾のまとわり付き等の静電気による弊害が完全に防止される。
【０１００】
このようにして、婦人用ズボン等の衣服の裾長さを着用する人に合わせて極めて短時間で調節することができるとともに、静電気を防止でき、抗菌性・防臭効果をも有し、熱遮断機能、保温機能をも発揮する衣服となる。
【０１０１】
【発明の実施の形態】
以下、本発明の裾長さ調節機能付き衣服を主に婦人用ズボンとした場合の実施の形態について説明する。
【０１０２】
実施の形態１
まず、本発明の実施の形態１について、図１乃至図１４を参照して説明する。図１（ａ）は本発明の実施の形態１にかかる裾長さ調節機能付き衣服に用いられる裾上げ紙の構造を示す斜視図、（ｂ）は上面中央の両面テープを省略した平面図、（ｃ）は小型の裾上げ紙を示す平面図である。図２（ａ）は大型の裾上げ紙を示す平面図、（ｂ）は大型の裾上げ紙を用いた本発明の実施の形態１にかかる裾長さ調節機能付き衣服の裾上げの途中段階を示す図、（ｃ）は最終段階を示す斜視図である。
【０１０３】
図３乃至図７は裾上げの手順を裾長さ調節機能付き衣服としての婦人用ズボンを途中で縦に切って示したものであり、図３は裾仕上がり線で婦人用ズボンの裾を折り曲げた状態で裾上げ紙の上紙と下紙の内側の両面テープで裏地を挟んで貼り付けた状態を示す図である。図４はＡ線で表側に折り曲げて表地に裾仕上がり線のスジを付けるところを示す図である。図５は裾上げ紙を引っ張り出して貼り付いた裏地を引き出すとともに裾を下へ下げるところを示す図である。図６は図４で付けたスジで表地を折るとともに下へ下げて裾を整えた状態を示す図である。図７は裾上げ紙の外側の両面テープの剥離紙を剥がしてＡ線で折って表地に貼り付けて仮止めした状態を示す図である。
【０１０４】
図８は裾上げの仕上げ段階における熱接着に用いる工作用両面接着テープ付きの熱接着テープを示す斜視図である。図９（ａ）は同じく熱接着に用いる工作用両面接着テープ付きの短い熱接着テープを示す平面図、（ｂ）はその変形例を示す平面図である。図１０は熱接着テープを数箇所で仮止めして熱接着する方法において用いられる紙製のクリップを示す斜視図である。図１１（ａ）は熱接着糸を用いる熱接着方法において１本の熱接着糸を全周に仮止めした状態を示す図、（ｂ）は２本の熱接着糸を全周に仮止めした状態を示す図、（ｃ）は４本の熱接着糸を全周に仮止めした状態を示す図である。
【０１０５】
図１２は熱接着糸を仮止めせず端から順にアイロンを掛けて熱接着して行く方法を示す斜視図である。図１３は本発明の実施の形態１の変形例にかかる裾長さ調節機能付き衣服における最初の段階の裾部分を示す部分斜視図である。図１４（ａ）は裾上げ紙の変形例を示す斜視図、（ｂ）は裾上げ紙の別の変形例を示す斜視図である。
【０１０６】
図１に示されるように、本実施の形態１にかかる裾長さ調節機能付き衣服に用いられる裾上げ具としての裾上げ紙１は、比較的厚い下紙２に一端から中央付近まで１ｃｍごとに（或いは０．５ｃｍごとに）目盛りを付してミシン目５を入れ、約半分の長さの上紙３を斜線部分４に糊または文具用両面接着テープで貼り付けることによって取付ける。上紙３にも１ｃｍごとに目盛りを付してミシン目５を入れ、下紙２及び上紙３の内側先端部にはそれぞれ横方向一直線に両面テープ６，７を貼り付けておく。さらに、下紙２及び上紙３の内側には、それぞれ縦方向に３本ずつの両面テープ８，９を貼り付けておく。そして、上紙３の外側中央から下紙２の外側中央にかけて縦方向一直線に両面テープ１０を貼り付けておく。
【０１０７】
なお、図１（ｂ）においては、上紙３の内側（裏側）の両面テープ８の貼り付け方を見易くするために、外側の両面テープ１０は図示省略している。この裾上げ紙１の幅は４ｃｍ〜６ｃｍ程度が適当であるが、本実施の形態１においては約５ｃｍとしている。そして、裾長さ調節機能付き衣服としての婦人用ズボンの裾１つに付き裾上げ紙１を２枚用いて、互いに約１８０度離れて対向した位置に取付けて使用する。本実施の形態１においては、互いに約１８０度離れて対向した位置として分かり易いことから股下線と脇線を中心としてそれぞれ裾上げ紙１を取付けている。裾上げ具としての裾上げ紙１の詳細な使用方法については、後述する。
【０１０８】
図１（ｃ）に示される小型の裾上げ紙１１は、幅が約２ｃｍと細い以外は裾上げ紙１と同様の構造をしている。但し、幅が細いため上紙３と下紙２の内側に長手方向に貼り付けられる両面テープ８，９は図のように両端に２本のみとしている。さらに、上紙３と下紙２の内側に長手方向に貼り付けられる両面テープ８，９は中央付近に１本のみとしても良い。また、この小型の裾上げ紙１１の場合は、裾長さ調節機能付き衣服としての婦人用ズボンの裾１つに付き２枚用いただけでは裾を支える力が不足する場合があるので、その場合には５〜６本用いることになる。
【０１０９】
次に、図２を参照して、大型の裾上げ紙１２について説明する。図２（ａ）に示されるように、大型の裾上げ紙１２も下紙２に上紙３を貼り付けてそれぞれに１ｃｍごとに目盛りを付してミシン目５を入れ、下紙２及び上紙３の内側先端部にはそれぞれ横方向一直線に両面テープ６，７を貼り付け、下紙２及び上紙３の内側両端部には、それぞれ縦方向に２本ずつの両面テープ８，９を貼り付ける等、基本的には裾上げ紙１と同様である。異なるのは、大型の裾上げ紙１２の中央に上紙３から下紙２まで貫通させてミシン目１３を入れ、下端には指を入れて引き剥がすための貫通孔１４を設けて、中央部分１５を引き剥がせるようにしたことである。
【０１１０】
そして、この大型の裾上げ紙１２の場合には、下紙２の下半分の両端部分に縦方向に外側の両面テープ１０が２枚貼り付けられている。後述するようにして必要な裾上げ位置に裾を整えると同時に、裾長さ調節機能付き衣服としての婦人用ズボン１０１の裾の裏地１７側から見た図２（ｂ）に示されるように、中央部分１５は完全にミシン目１３で切り離して取り外す。残った両側の裾上げ紙１２は、２本の両面テープ１０の剥離紙を剥がして婦人用ズボン１０１の裾の表側へ折り返し、２本の両面テープ１０で表地１６に貼り付けることによって、作業者が両手を離しても整えた裾上げ位置から表地１６及び裏地１７がずれないようにする。このように仮止めしておいて、対向する位置も大型の裾上げ紙１２を用いて同様に裾上げして裾を整え、中央部分１５は完全にミシン目１３で切り離して取り外し、残った両側の裾上げ紙１２は２本の両面テープ１０の剥離紙を剥がして婦人用ズボン１０１の裾の表側へ折り返し、２本の両面テープ１０で表地１６に貼り付ける。
【０１１１】
このようにして、対向する２箇所で婦人用ズボン１０１の裾２０を整えた状態を示したのが、図２（ｃ）である。ここでは、対向する２箇所として脇線１８及び股下線１９をそれぞれ中心として大型の裾上げ紙１２を用いている。そして、図の状態から矢印で示されるように、中央部分１５が取り去られたあとの脇線部分及び股下線部分を右手と左手でそれぞれ持って引張りながら、残りの部分の表地１６と裏地１７を整える。
【０１１２】
このとき、仮に裾上げ紙１２の中央部分１５が一体で残っていたとしたら、大型の裾上げ紙１２は幅が広いため婦人用ズボン１０１の裾２０が突っ張ってしまって、脇線部分及び股下線部分を持って引張りながら残りの部分の表地１６と裏地１７を整えるという操作ができない。そこで、図２（ａ）に示されるように裾上げ紙１２の中央部分１５を容易に取り去れるようにミシン目１３を予め付けておいて、婦人用ズボン１０１の裾２０を整える段階で中央部分１５を取り去ることによって、図２（ｃ）に示されるように、あたかも４本の細い紙のみが残された状態となって婦人用ズボン１０１の裾２０を自由に動かして残りの部分の表地１６と裏地１７を整えることができる。
【０１１３】
後は、アイロンでプレスしてしっかり折り目を付けてから、両面テープで貼り付いている裾上げ紙１２の残り部分を丁寧に剥がして取り除き、熱接着テープ・熱接着糸等で表地１６と裏地１７の裾部分を固定して完成となる。なお、最初に述べたように、「両面テープ」は剥がれたときに生地自体に接着剤の痕がつかない適度な接着力のある剥がし易い接着剤を用いたアパレル用の両面接着テープであるので、表地１６及び裏地１７の見た目を損なう心配はない。
【０１１４】
次に、裾長さ調節機能付き衣服としての婦人用ズボン１０２の裾上げの詳細な手順について、標準の幅の裾上げ紙１を用いた場合を例にして、図３乃至図７を参照して説明する。まず、裾上げ前の婦人用ズボン１０２は当然胴回り寸法ごとに現在の日本人の標準体形から割り出した最も股下の長い場合に合わせて仮の裾長さを決めるが、このとき表地の裾折り返し部分には軽くアイロンを掛ける程度にし、アイロンの掛け過ぎに注意する。余り強く仮の裾折り返し線をつけてしまうと、裾上げがやり難くなる。
【０１１５】
まず、婦人用ズボンを買い求めようとする顧客に試着をしてもらって、婦人用ズボンの裾を裏返しに折り返して好みの裾位置を決めてもらう。このとき、物差し或いはメジャー等で折り返し長さを測っておくが、物差し・メジャー等の代わりに裾上げ紙１の目盛り部分を用いることもできる。このように、本発明の裾長さ調節機能付き衣服においては、婦人用ズボン（或いは紳士用ズボン）の裾を折り返したときに従来のように待ち針で止めたりしないため、店員や客がうっかり待ち針で怪我をする心配もない。また、自分の股下寸法を覚えている顧客については、仮の裾折り返し線が股下何ｃｍであるかによって、試着をしなくても即座に裾上げ長さが決定する。
【０１１６】
折り返し長さ（＝裾上げ長さ）が決定したら、婦人用ズボン１０２を脱いでもらって、図３に示されるように、まず脇線１８周辺において婦人用ズボン１０２の裾を再び折り返し、裾上げ紙１の上紙３の目盛り部分５を裏地１７に当てて決定した裾上げ長さまで折り返していく。裾上げ長さまで折り返したら、裾上げ紙１の上紙３及び下紙２内側の両面テープ６，７，８，９の剥離紙を全て剥がし、上紙３は先端が裏地１７の縁に沿うように、下紙２はＡ線と裏地１７を挟んで裏側に、それぞれ貼り付ける。これによって、裏地１７は上紙３及び下紙２に挟まれた部分全面が裾上げ紙１に貼り付けられることになる。なお、以下の図では裾上げ紙１の目盛り部分５と上紙３の貼り付け部分４の図示は省略する。
【０１１７】
次に、図４に示されるように、Ａ線のところで裏地１７及び表地１６を上紙３ごと表側に折り曲げ、さらにＡ線を摘まむことによって下紙２も反対側に折り曲げる。これによって、上紙３及び下紙２がＡ線に合わせて折り曲げられる。この状態からＡ線を表地１６で軽く摘んだまま、裾上げ紙１の下紙２の下端を引き下げる。すると、図５に示されるように、裏地１７も上紙３及び下紙２に貼り付いているので上紙３及び下紙２とともに引き出され、裏地１７のＡ線が引き下げられる。
【０１１８】
図５で表地１６の裾仕上がり線と想像線で示された最初の裾位置を比較すれば、両者の間隔分だけ裾が短くなったこと即ち裾上げされたことが分かる。この状態から裾上げ紙１の外側の両面テープ１０の剥離紙を剥がし、表地１６の裾仕上がり線を持ったまま上紙３の上端で表地１６を折り返して裾を整える。これによって、図６に示されるように、外側の両面テープ１０の上半分で表地１６の折り返し部分が仮止めされる。さらに、裾仕上がり線で裾上げ紙１を上方に折り返して外側の両面テープ１０の下半分を表地１６の表側に貼り付けると、図７に示されるように表地１６及び裏地１７が裾上げ紙１によって仮止めされ、手を離しても裾がずれない。
【０１１９】
この状態で、今度は対向位置にある股下線１９側の裾上げを裾上げ紙１を用いて同様に行う。股下線１９側の裾上げが終わって図７に示されるように仮止めがされたら、先ほど図２（ｃ）で説明したように、両方の裾上げ紙１を両手で持って引張り、裾の全周を整える。そして、表地１６の裾仕上がり線と裏地１７のＡ線にアイロンを掛けて裾のラインをしっかりつける。その後、表地１６及び裏地１７から全ての両面テープを剥がすことによって、２つの裾上げ紙１を取り外す。ここでも、両面テープはアパレル用の剥がしたときに剥がし易く接着痕の残らないものであるから、時間もかからず裾の見栄えを損なうこともない。
【０１２０】
後は、裏地１７の裾上げ部分を表地１６に接着して裏地１７を固定すれば良いが、これには以下に説明するように幾つかの方法がある。
【０１２１】
▲１▼まず、図８に示されるように、婦人用ズボン１０２の裾の全周または半周分の長さに熱接着テープ２２を切り、これに約１．５ｃｍ〜約２ｃｍ間隔で、縦の長さが熱接着テープ２２の幅より少し短く幅が１ｍｍ程度に切った工作用の強力な両面接着テープ２３を貼り付ける。そして、両面接着テープ２３の外側の剥離紙も剥がして、その上から熱接着テープ２２と同じ長さの剥離紙２４を両面接着テープ２３の接着面に止めて熱接着テープ２２全体に貼り付けておく。
【０１２２】
かかる剥離紙付き熱接着テープ２１を予め用意しておいて、アイロン掛けと裾上げ紙１の取り外しの終了した婦人用ズボン１０２の裾について、剥離紙付き熱接着テープ２１の剥離紙２４を剥がして、表地１６の裾仕上がり線と裏地１７のＡ線の間を開いて裏地１７の下端（Ａ線の近傍）に、両面接着テープ２３の接着力で全周或いは半周分の熱接着テープ２２を貼り付ける。そして、半周分の場合は残りの半周分の熱接着テープ２２を貼り付けた後、アイロンを掛けて熱接着テープ２２を融かし、裏地１７の下端を表地１６の裏側に全周に亘って接着させる。後は、スチームアイロンを全周に亘って掛けて仕上げれば完成である。
【０１２３】
なお、ここでは工作用の両面接着テープ２３を用いているが、熱接着テープ２２とともに表地１６と裏地１７の間を接着し、外部からは見えないので全く差し支えはない。また、最初からスチームアイロンを掛けて熱接着テープ２２を融かすとともに仕上げることをしないのは、スチームアイロンを掛けるとしっかり固定されてもう修正が効かないのに対して、アイロンを掛けて熱溶融させた段階では折り目がずれたりした場合でも未だ修正することができるからである。
【０１２４】
▲２▼図９（ａ）に示されるように、熱接着テープ２２を約６ｃｍ〜約８ｃｍの長さに切り分けて、両端に▲１▼と同様の１ｍｍ幅程度の工作用の両面接着テープ２３を貼り付けておく。このような短い熱接着テープ２５を必要枚数用意しておいて（裾の全周は大体４０ｃｍ前後なので５〜７枚必要になる。）、アイロン掛けと裾上げ紙１の取り外しの終了した婦人用ズボン１０２の裾について、▲１▼と同様に裏地１７の表側の下端に、両面接着テープ２３の剥離紙を剥がして熱接着テープ２５を次々に貼り付けて行く。全周貼り付け終わったら、裏地１７の裏側からアイロンを掛けて裏地１７を表地１６の裏側に熱接着して、後は、スチームアイロンを全周に亘って掛けて仕上げれば完成である。なお、短い熱接着テープ２５の長さは約６ｃｍ〜約８ｃｍの範囲内に限られず、何ｃｍでも良い。
【０１２５】
また、別例として図９（ｂ）に示されるように、同様に熱接着テープ２２を約６ｃｍ〜約８ｃｍの長さに切り分けて、両端の互いに裏表反対側に裏側は端を１．５ｍｍ程度余して、１ｍｍ幅程度の工作用の両面接着テープ２３を貼り付ける場合もある。かかる短い熱接着テープ２６の場合には、最初の１枚の左端の両面接着テープ２３は剥離紙を付けたままにしておいて、右側（裏側）の両面接着テープ２３のみ剥離紙を剥がして裏地１７の表側の下端に貼り付ける。そして、２枚目以降は、表側の両面接着テープ２３は前の短い熱接着テープ２６の右端の余した部分に裏側から貼り付けて短い熱接着テープ２６同士の端を次々に接着して伸ばしていくことになる。
【０１２６】
こうして、裏側の両面接着テープ２３で裏地１７の表側の下端に貼り付ける継ぎ足して行った短い熱接着テープ２６が婦人用ズボン１０２の裾全周の長さに達したら、最初の１枚の左端の両面接着テープ２３の剥離紙を剥がして、最後の１枚の短い熱接着テープ２６の裏側に貼り付ける。このように、短い熱接着テープ２６が裾全周に亘って互いに接着されていることから、より確実に隙間なく裏地１７の表側に熱接着テープ２２を貼り付けることができる。後は裏地１７の裏側からアイロンを掛けて、裏地１７を表地１６の裏側に熱接着して、スチームアイロンを全周に亘って掛けて仕上げれば完成である。
【０１２７】
▲３▼図１０に示されるような形状で幅１〜１．５ｃｍ程度の厚紙製のクリップ２７を５〜６個用意する。このクリップ２７は切れ目で３本の足に分かれていて、左右の長い足２８を一方の側に、中央の短い足２９を反対の側にかけることによって薄い物を挟むことができる。熱接着テープ２２を婦人用ズボン１０２の裾全周の長さに切って、裏地１７の下端に当てて適当な間隔でクリップ２７を用いて、熱接着テープ２２を裏地１７の下端に止めて行く。全周止め終わったら、まずクリップ２７で止めてある所以外にアイロンを掛けて熱接着テープ２２を融かし、その部分の裏地１７を表地１６に接着する。そして、クリップ２７で止めてある部分のみが残ったところでクリップ２７を全て引き抜いて取り除き、クリップ２７で止めてあった部分にアイロンを掛けて熱接着して、後は、スチームアイロンを全周に亘って掛けて仕上げれば完成である。
【０１２８】
なお、厚紙製のクリップ２７の代わりに、市販の金属製のゼムクリップ、ゼムクリップＶ形等の小型で薄型のクリップを用いても良い。
【０１２９】
また、厚紙製のクリップ２７の場合は、上からアイロンを掛けても市販の金属製のゼムクリップ等のように跡が付かないので、全周を一度にアイロンを掛けて熱接着させることができる。
【０１３０】
▲４▼熱接着糸３１を両面接着シール３２で、裏地１７の表側の下端全周に貼り付ける。貼り付け方は、図１１（ａ）のように１本の熱接着糸３１で全周をカバーするのが好ましいが、図１１（ｂ）のように半周ずつ２本の熱接着糸３１を用いても良いし、図１１（ｃ）のように１／４周ずつ４本の熱接着糸３１を用いても良い。その他、どんな切り分け方をしても、とにかく裏地１７の表側の下端全周に熱接着糸３１を貼り付ければ良い。また、両面接着シール３２も貼る位置は図示されたものに限らず、裏地１７の素材によってはもっと多く貼る必要のある場合もある。後は裏地１７の裏側からアイロンを掛けて、裏地１７を表地１６の裏側に熱接着して、後は、スチームアイロンを全周に亘って掛けて仕上げれば完成である。
【０１３１】
▲５▼熱接着糸３１を▲４▼のように全周貼り付けておくのでなく、図１２に示されるように、熱接着糸３１を婦人用ズボン１０３の端から裏地１７と表地１６の間に入れながらアイロン３３を掛けて、破線で示されるように裏地１７を熱接着させて行く方法もある。なお、▲４▼▲５▼いずれの場合も、熱接着糸３１を予め鎖状に編んでおくと接着面積が広くなってより好ましい。後は、スチームアイロンを全周に亘って掛けて仕上げれば完成である。
【０１３２】
▲６▼布地用の液体接着剤（例えば、商品名「タッチボンド」）を用いて接着する方法もある。この場合、裏地１７の表側（図１２では下側）に薄く塗り付けて液体接着剤が乾かないうちに手早く貼り合わせる。ここで、図１２に示されるように、表地１６が裾仕上がり線で折り返されて二重になっているので、液体接着剤を若干多めに塗っても表地１６の外側まで染み出すことはなく、婦人用ズボンの裾の美観を損ねる心配はない。
【０１３３】
次に、本実施の形態１の裾長さ調節機能付き衣服の変形例について、図１３を参照して説明する。本実施の形態１の変形例においても、まず客に試着をしてもらって、婦人用ズボン１０４の裾を裏返しに折り返して好みの裾位置を決めてもらう。このとき、物差し・メジャーまたは裾上げ紙１の目盛りで折り返し長さを測っておき、婦人用ズボン１０４を脱いでもらって、折り返し長さの所（裾仕上がり線）で再び婦人用ズボン１０４の裾２０を裏返しに折り返す。なお、自分の股下寸法を覚えている顧客については、仮の裾折り返し線が股下何ｃｍであるかによって、試着をしなくても即座に裾上げ長さが決定する。
【０１３４】
次に、図８に示した剥離紙付き熱接着テープ２１を用いて、剥離紙２４を剥がして、裏地１７の下端に両面接着テープ２３の接着力で全周或いは半周分の熱接着テープ２２を貼り付ける。そして、半周分の場合は残りの半周分の熱接着テープ２２を貼り付けた後、裾上げ紙１を用いて上述した本実施の形態１の裾長さ調節機能付き衣服１０２と同様に、図３，図４，図５，図６，図７の工程を脇線１８側及び股下線１９側について順に行う。
【０１３５】
そして、２つの裾上げ紙１を両面テープを全て剥がすことによって外した後、裏地１７の下端の裏面からアイロンを掛ければ、この部分の裏地１７の表側には既に図１３の段階で裾全周に熱接着テープ２２が貼り付けられているので、裏地１７の表側下端が表地１６の裏側に接着されて、後はスチームアイロンで裾全周を仕上げて裾上げが完了する。
【０１３６】
以上説明したように、本実施の形態１の裾長さ調節機能付き衣服としての婦人用ズボン１０２，１０３，１０４は、衣服の裾長さを着用する人に合わせて極めて短時間で調節することができる。具体的には、慣れた店員であれば片足５分程度即ち両足で１０分程度で完了するので、顧客を長時間待たせることなくその場で購入した婦人用ズボン１０２，１０３，１０４等の衣服を持って帰ってもらうことができる。
【０１３７】
さらに、本実施の形態１の裾長さ調節機能付き衣服は、裾を切る必要がない、裏地があるため高級感が出る、裏地に遠赤外線発生セラミックスや静電気防止材や銀糸を織り込むことによって、裾のまとわり付き等の静電気による弊害が完全に防止され、抗菌性・防臭効果が発揮され、熱遮断効果、加熱効果が発揮される等の特長がある。また、裾上げ紙１，１１，１２に目盛りが付いているので正確に素早く裾上げができるだけでなく、裏地に横ストライプ模様や格子模様、さらにはプリント柄等が入っているとそれらも目印になってより確実に裾上げができる、両面テープや工作用の両面接着テープによって仮止めがされるので作業がし易い、等の利点もある。
【０１３８】
なお、本実施の形態１においては、中ぐらいの幅の裾上げ紙１を用いた場合について説明したが、幅が細い小型の裾上げ紙１１、或いは大型の裾上げ紙１２を用いても良い。小型の裾上げ紙１１の場合は５〜６個用いる必要がある場合もあり、大型の裾上げ紙１２の場合は途中で中央部分１５を取り除く必要があるが、それ以外の基本的な使用方法はいずれも裾上げ紙１と同様である。
【０１３９】
また、これらの裾上げ紙１，１１，１２は、図１及び図２に示されるようにいずれも長い下紙２の中間付近に半分くらいの長さの上紙３を糊で貼り付けた構造をしているが、裾上げ紙としてはこれ以外にも、図１４（ａ）に示されるような長い紙を半分に折って斜線部分３６で示される途中までを糊で貼り付けてつまみとした裾上げ紙３５や、図１４（ｂ）に示されるような長い紙を半分に折っただけの裾上げ紙３７等を用いることができる。これらの裾上げ紙３５，３７にも外側の両面テープ１０以外に、内側に裾上げ紙１，１１，１２のように両面テープが貼り付けられているが、ここでは図示省略した。
【０１４０】
実施の形態２
次に、本発明の実施の形態２について、図１５乃至図２４を参照して説明する。図１５は本発明の実施の形態２にかかる裾長さ調節機能付き衣服に用いられる目盛り紙を示す平面図である。図１６は目盛り紙を両面テープで婦人用ズボンの裾の脇線を中心にして表地及び裏地に貼り付けた状態を示す説明図である。図１７は目盛り紙の表側を裾仕上がり線で表地とともに折り曲げたところを示す説明図である。図１８は目盛り紙の裏側を裾仕上がり線と同じ目盛りで裏地とともに折り曲げたところを示す説明図である。
【０１４１】
図１９は本発明の実施の形態２の変形例にかかる裾長さ調節機能付き衣服に用いられる目盛り紙を示す平面図である。図２０は目盛り紙を裾仕上がり線で表地とともに折り曲げて中央の剥離紙を裾仕上がり線まで剥がし中央部分を折り曲げたところを示す説明図である。図２１は中央部分を裾の裏側まで折り曲げて表地と裏地を仮止めしたところを示す説明図である。図２２は本発明の実施の形態２の別の変形例にかかる裾長さ調節機能付き衣服の第１段階を示す説明図である。図２３は図２２の状態を裾の裏側から見たところを示す説明図である。図２４は裏地も折り曲げたところを示す説明図である。
【０１４２】
図１５に示されるように、本実施の形態２で用いられる目盛り紙４０は、表地１６に貼り付けられる門形の部分４１と、その下端４１ａからそれぞれさらに下に伸びた２本の足のような部分４３から構成されており、それぞれの部分４１，４３には１ｃｍ刻みで目盛り４２，４４が付けられている。これらの門形の部分４１の上側と両側の目盛り４２部分の裏側中央及び２本の足部分４３の裏側に、例によってアパレル用の両面テープが貼り付けられて、目盛り紙４０が婦人用ズボンの裾の対向する２箇所に取付けられる。本実施の形態２においても、対向する２箇所として脇線１８と股下線１９に取付ける。
【０１４３】
図１６に示されるのが、目盛り紙４０を両面テープで裾長さ調節機能付き衣服としての婦人用ズボン１０５の裾の脇線１８を中心に取付けた状態である。目盛り紙４０は、門形部分４１の下端４１ａが、裏地１７のキセのある場合でもない場合でも、表地１６と裏地１７の縫付け部分にくるように貼り付けられる。本実施の形態２においてはキセのない場合について説明するので、下端４１ａが表地１６と裏地１７の境界線に位置して平坦に貼り付けられている。門形部分４１は最初の目盛りで表地１６の仮の裾に沿って折り曲げられ、表地１６の表側に貼り付けられている。
【０１４４】
なお、キセのある場合には、門形部分４１の下端４１ａが表地１６と裏地１７の縫付け部分に届くまで、門形部分４１も２本の足部分４３もキセの下に潜り込ませてから貼り付けることになる。
【０１４５】
同様にして股下線１９側にも目盛り紙４０を貼り付けた状態で、顧客に婦人用ズボン１０５を試着してもらい、好みの裾仕上がり線のところで折り返してもらったら、その折り返し長さを測っておいて、図１７，図１８に示されるように、まずその折り返し長さ（この場合は３ｃｍ）の目盛り４２のところで門形部分４１とともに表地１６を折り返して、しっかり折り返し線を付ける（この折り返し線が裾仕上がり線となる）。続いて、同じ３ｃｍの目盛り４４のところで足部分４３とともに裏地１７を折り曲げてしっかり折り返し線を付ける。なお、自分の股下寸法を覚えている顧客については、仮の裾折り返し線が股下何ｃｍであるかによって、試着をしなくても即座に裾上げ長さが決定する。
【０１４６】
これを脇線１８側、股下線１９側の両方について行ったら、両方の表地１６及び裏地１７の折り返し線を両手で摘んで引張り、裾の全周に亘って表地１６及び裏地１７の折り返し線を付ける。そして、アイロンを掛けて表地１６及び裏地１７の折り返し線をより強く付けたら、後は２つの目盛り紙４０を両面テープを剥がして取り外し、実施の形態１で説明した▲１▼〜▲６▼のいずれかと同様な方法を用いて裏地１７の下端を表地１６の裏側に裾全周に亘って接着すれば完成となる。
【０１４７】
次に、本発明の実施の形態２の変形例について説明する。図１９に示されるのが、実施の形態２の変形例に用いられる目盛り紙４６である。この目盛り紙４６が実施の形態２の目盛り紙４０と異なるのは、門形部分４７の中央部分が最初は刳り抜かれておらず、切り離すためのミシン目４８が付けられており、このミシン目４８で囲まれた中央部分には表側に両面テープが全面に亘って貼られており、その接着面の上には剥離紙４９ａが貼られている。その他の２本の足部分４３や目盛り４２，４４の付け方等については、目盛り紙４０と同様である。
【０１４８】
かかる目盛り紙４６を、目盛り紙４０と同様に門形部分４７の下端４７ａを基準にして、婦人用ズボン１０６の裾の対向する２箇所に貼り付けておく。ここでは、やはり脇線１８を中心とする部分と股下線１９を中心とする部分とに貼り付ける。そして、試着の結果、折り返し長さが決まったら（ここでは３ｃｍとする。）、まず脇線１８側から、上記実施の形態２と同様にその３ｃｍの目盛りのところで、門形部分４７を表地１６とともに、また２本の足部分４３を裏地１７とともに折り返し、しっかり折り目を付けておく。その結果、図２０に示されるように、脇線１８側の裾仕上がり線と裏地１７の折り返し線が決まる。なお、自分の股下寸法を覚えている顧客については、仮の裾折り返し線が股下何ｃｍであるかによって、試着をしなくても即座に裾上げ長さが決定する。
【０１４９】
続いて、門形部分４７の中央部分４９をミシン目４８で切り取って裾仕上がり線まで起こし、裾仕上がり線に沿って折り曲げて図２０に示されるように剥離紙４９ａを剥がして、図２１に示されるように裾の裏側へ回して裏地１７の折り返し線の上から中央部分４９を貼り付けて固定する。これによって、脇線１８側の仮止めができるので、安心して次に股下線１９側の折り返しを行うことができる。股下線１９側も裾仕上がり線が決まって仮止めが終わったら、両方の仮止め部分５０を両手で摘んで引張り、裾の全周に亘って表地１６及び裏地１７の折り返し線を付ける。そして、アイロンを掛けて表地１６及び裏地１７の折り返し線をより強く付けたら、後は２つの目盛り紙４６を両面テープを剥がして取り外し、実施の形態１で説明した▲１▼〜▲６▼のいずれかと同様な方法を用いて裏地１７の下端を表地１６の裏側に裾全周に亘って接着すれば完成となる。
【０１５０】
次に、本発明の実施の形態２の別の変形例について説明する。この別の変形例において使用する目盛り紙は、図１５に示される上記実施の形態２で用いたのと同じ目盛り紙４０である。異なるのは、図２２，図２３に示されるように、上記実施の形態２とは逆に門形部分４１を裏地１７側に、２本の足部分４３を表地１６側に貼り付ける点である。要するに、同じ目盛り紙４０を上記実施の形態２とは裏表反対にして使用するわけで、使い方は上記実施の形態２と同様である。
【０１５１】
図２２は、婦人用ズボン１０７の試着の結果、折り返し長さが決まり（ここでも３ｃｍとする。）、まず脇線１８側から、その３ｃｍの目盛りのところで２本の足部分４３とともに表地１６を折り返したところを示している。図２３はそれを裏側から見たところで、目盛り紙４０は上記実施の形態２と同様に門形部分４１の下端４１ａを表地１６と裏地１７の縫付け部分に合わせて貼り付けている。この別の変形例においても、キセのない場合について説明・図示している。そして、想像線で示されるように、裏地１７も門形部分４１の目盛り４２の３ｃｍのところで門形部分４１とともに折り返すことになる。なお、自分の股下寸法を覚えている顧客については、仮の裾折り返し線が股下何ｃｍであるかによって、試着をしなくても即座に裾上げ長さが決定する。
【０１５２】
図２４は折り返した後の状態を示したもので、先に折り返した表地１６の目盛り３ｃｍの折り返し線が裾仕上がり線になる。裾仕上がり線も裏地１７の折り返し線もしっかり折り目を付けておく。その結果、図２４に示されるように、脇線１８側の裾仕上がり線と裏地１７の折り返し線が決まる。これを脇線１８側、股下線１９側の両方について行ったら、両方の表地１６及び裏地１７の折り返し線を両手で摘んで引張り、裾の全周に亘って表地１６及び裏地１７の折り返し線を付ける。そして、アイロンを掛けて表地１６及び裏地１７の折り返し線をより強く付けたら、後は２つの目盛り紙４０を両面テープを剥がして取り外し、裏地１７の下端を表地１６の裏側に裾全周に亘って接着すれば完成となる。
【０１５３】
なお、本実施の形態２においては、門形部分４１，４７と足部分４３が一体となった目盛り紙４０，４６を用いた場合について説明したが、門形部分４１，４７と２本の足部分４３をそれぞれ別々に作製して裾上げを行うことも可能である。この場合には、門形部分４１，４７の下端４１ａ，４７ａと足部分４３の上端とが互いに密着するように裾の表裏に両面テープで貼り付けて使用する必要がある。そうすることによって、上記実施の形態２（及び変形例及び別の変形例）と全く同様にして裾上げを行うことができる。
【０１５４】
実施の形態３
次に、本発明の実施の形態３について、図２５乃至図２７を参照して説明する。図２５（ａ）は本発明の実施の形態３にかかる裾長さ調節機能付き衣服に用いられるＴ字形裾上げ紙を示す図、（ｂ）は衣服の裏地に貼り付けられる裾上げ紙を示す図である。図２６は図２５の２種類の裾上げ紙を裾上げ前の婦人用ズボンの裾に取付けた状態を裏側から示す説明図である。図２７は裾上げ後の裾の状態を裏側から示す説明図である。
【０１５５】
図２５に示されるように、本実施の形態３の裾長さ調節機能付き衣服においては、２種類の裾上げ紙５０，５１を用いる。厚紙からなるＴ字形裾上げ紙５０は、細い部分に１ｃｍ刻みで表裏に目盛り５２が付けられており、上端５０ａに沿って両面テープが裏側に貼り付けられている。一方、滑りの良い薄手の紙からなる細長い裾上げ紙５１には、表側に１ｃｍ刻みで目盛り５３が付けられており、裏側には上端から下端５１ａまで両面テープが貼り付けられている。
【０１５６】
図２６に示されるように、これら２種類の裾上げ紙５０，５１がここでは１．５ｃｍ程度のキセ１７ａのある裾上げ前の婦人用ズボン１０８の裾に取付けられる。無論、キセ１７ａの長さの異なるもの及びキセのないものにも使用可能である。Ｔ字形裾上げ紙５０は、脇線１８を中心として、上端５０ａが表地１６と裏地１７との縫付け線１６ａに当るように、上端５０ａの裏側の両面テープの剥離紙を剥がして表地１６に貼り付ける。細長い裾上げ紙５１も脇線１８を中心として、裏側の両面テープの剥離紙を剥がして、下端５１ａが縫付け線１６ａに当るように、キセ１７ａの裏側に潜り込ませて裏地１７に貼り付ける。
【０１５７】
対向する股下線１９側にも同様に２種類の裾上げ紙５０，５１を取付ければ、商品としての裾長さ調節機能付き衣服としての婦人用ズボン１０８の完成である。そこで、顧客に試着をしてもらってメジャー等で裾上げ長さを測定する。或いは、試着の際に実際にＴ字形裾上げ紙５０を押し上げるとともに細長い裾上げ紙５１を裏地１７の下側へ滑り込ませて、顧客の好みの裾上げ位置で目盛り５２及び／または目盛り５３に印を付けても良い。さらに、自分の股下寸法を覚えている顧客については、仮の裾折り返し線が股下何ｃｍであるかによって、試着をしなくても即座に裾上げ長さが決定する。
【０１５８】
いずれの方法にしても、裾上げ長さが決定したら、図２７に示されるように裾上げ長さ分だけＴ字形裾上げ紙５０を表地１６とともに押し込んで行くと同時に、細長い裾上げ紙５１を裏地１７とともに巻き込んで行く。そして、所定の裾上げ位置で裏地１７及び表地１６の新しい折り返し線にアイロンプレスを掛けて、裾仕上がり線をしっかり付けておく。対向する股下線１９側も同様にして裾上げを行い、アイロンプレスを掛けたら、脇線１８側及び股下線１９側の裏地１７及び表地１６の折り返し線を両手で摘んで引張り、裾全周の裏地１７及び表地１６に新しい折り返し線を付けて裾を整える。
【０１５９】
後は、全周にアイロンを掛けて裾全周の裏地１７及び表地１６の新しい折り返し線を確定させたら、例によって熱接着テープ等を用いて裏地１７の下端を表地１６の裏側に接着させれば完成である。
【０１６０】
なお、表地１６側の厚紙からなる裾上げ紙５０は必ずしもＴ字形に限られず、例えばＴ字形の横棒の左右の後角と縦棒の左右の後角をそれぞれ結んだヘラ形や、細長い二等辺三角形の底辺に長方形を付けた形状等、様々な形のものが使用できる。但し、表地１６と裏地１７との縫付け線１６ａに当る上端５０ａはある程度の幅を有していた方が良い。
【０１６１】
また、厚紙からなる裾上げ紙５０が婦人用ズボン１０８の裾からぶら下がっていると見栄えが悪い、試着がし難いと考える衣料品店においては、裾上げ紙５０は取付けずに店頭に陳列しておき、試着後に厚紙からなる裾上げ紙５０を縫付け線１６ａに当てて両面テープで貼り付けるようにすれば良い。この作業は両足の脇線・股下線合わせて４箇所でも３０秒以内にできるので、何の支障もない。
【０１６２】
実施の形態４
次に、本発明の実施の形態４について、図２８及び図２９を参照して説明する。図２８は本発明の実施の形態４にかかる裾長さ調節機能付き衣服に用いられる様々な紙シールを示す説明図である。図２９は紙シールを用いて裾上げを行う様子を示す説明図である。
【０１６３】
図２８に示されるように、本実施の形態４においては、様々な形状の紙シール５５，５６，５７，５８，５９の中から１種類を選んで使用する。これらの紙シール５５，…，５９にはそれぞれ１ｃｍ刻みの目盛り５５ａ，５６ａ，５７ａ，５８ａ，５９ａが付けられている。本実施の形態４においては、キセなしの裾を対象に適用しているので、紙シール５５，…，５９の取付けの基準線は表地１６と裏地１７との縫付け線１６ａとなる。
【０１６４】
まず、紙シール５５は下半分を省略しているが、上下対称の形状をしているので貼り間違えるということがなく、太さの変わる部分５５ｂが縫付け線１６ａに合わせられて裏側に貼られた両面テープによって貼り付けられる。紙シール５６は門形形状をしており、下端５６ｂが縫付け線１６ａに合わせられて両面テープによって貼り付けられる。紙シール５７は３本の足を有しており、中央の足だけが長くなっている。そして、両端の短い足の下端５７ｂが縫付け線１６ａに合わせられて両面テープによって貼り付けられるが、中央の足は縫付け線１６ａのところまでしか両面テープが貼り付けられていないので、縫付け線１６ａから下へ伸びた部分は自由である。
【０１６５】
紙シール５８は単純な細長い長方形をしており、下端５８ｂが縫付け線１６ａに合わせられて両面テープによって貼り付けられる。紙シール５９も同様な単純な細長い長方形をしているが、紙シール５７の中央の足同様、裏側に両面テープを貼っていない飛び出した部分があり、一番下の目盛り５９ｂが縫付け線１６ａに合わせられて両面テープによって貼り付けられる。
【０１６６】
このような各種の紙シール５５，…，５９のうちから１種類を選んで、婦人用ズボン１０９の裾の対向する位置に２枚貼り付けられる。代表的なのは、やはり上記各実施の形態と同じく脇線１８と股下線１９とを中心にして貼り付けるものであるが、婦人用ズボン１０９の裾の対向する位置に貼り付けられる２枚の紙シールは同種のものである必要はない。例えば、脇線１８を中心に紙シール５６を貼り付け、股下線１９を中心に紙シール５９を貼り付ける等、どのような組み合わせとしても良い。
【０１６７】
このように貼り付けられた紙シール５５，…，５９を用いて裾上げを行うには、まず試着等によって裾上げ長さを決定し、紙シール５５，…，５９の下のヘム部分（ここではヘム長さを１ｃｍ、キセなしとしている。）を両手で摘んで表地１６を裏地１７とともに、図２９に示されるように（ここでは紙シール５８を脇線１８側に使用した例を示している。）奥へ巻き込んで行く。このとき、前述の如く、紙シール５８の裏側に使用されているのは剥がれ易いアパレル用両面テープであるため、裏地１７が巻き込まれるとともに紙シール５８が剥がれていく。
【０１６８】
このようにして、裏地１７の巻き込み位置が紙シール５５，…，５９の目盛り５５ａ，…，５９ａで見て、決められた裾上げ長さに到達したら、表地１６及び裏地１７の折り返し線にアイロンを掛けてしっかり折り目を付けておき、対向する股下線１９側も同様にして、紙シール５５，…，５９のいずれかを用いて同じ裾上げ長さだけ裾上げする。そして、同様に表地１６及び裏地１７の折り返し線にアイロンを掛けてしっかり折り目を付けたら、脇線１８側及び股下線１９側の表地１６及び裏地１７の折り返し線を両手で摘んで引張りながら裾全周の裏地１７及び表地１６に新しい折り返し線を付けて裾を整える。
【０１６９】
後は、全周にアイロンを掛けて裾全周の裏地１７及び表地１６の新しい折り返し線を確定させたら、紙シール５５，…，５９を全て剥がし、例によって熱接着テープ等を用いて裏地１７の下端を表地１６の裏側に接着させれば完成である。なお、紙シール５５，５６は、紙シール５８と同様に裏地１７が巻き込まれるとともに剥がれていくが、紙シール５７，５９は、片手で突出した部分を引張りながらもう一方の手でヘム部分の表地１６を押し込んで行くと、紙シール５７，５９の両面テープで裏地１７に貼り付いていた部分が剥がれて裏地１７を表地に巻き込ませる。
【０１７０】
本実施の形態４においては、紙シールの例として紙シール５５，…，５９を示したが、同様の役割をするものであれば紙シールはどのような形状のものでも良い。また、本実施の形態４においては、紙シール５５，…，５９に目盛り５５ａ，…，５９ａを付けて、裏地１７は無地の場合について説明したが、裏地１７として１ｃｍ刻みの横方向平行線がプリントされたものを用いることもできる。この場合には、紙シールに目盛りを付す必要はない。
【０１７１】
さらに、本実施の形態４においては、裏地１７のキセがない場合について説明したが、キセがある場合にも紙シールを用いて裾上げをすることができる。また、裏地１７に紙シール５５，…，５９を貼り付けた場合について説明したが、表地１６に紙シールを貼り付けて裾上げすることも可能である。
【０１７２】
実施の形態５
次に、本発明の実施の形態５について、図３０乃至図３３を参照して説明する。図３０は本発明の実施の形態５にかかる裾長さ調節機能付き衣服における婦人用ズボンの裾上げを開始する前の状態を示す説明図である。図３１は厚紙を用いて婦人用ズボンの裾上げを行う様子を示す説明図である。図３２（ａ），（ｂ）は本発明の実施の形態５にかかる裾長さ調節機能付き衣服に用いられる厚紙の両面テープを貼る位置を変えた場合を示す説明図である。図３３は本発明の実施の形態５にかかる裾長さ調節機能付き衣服に用いられる厚紙の変形例を示す説明図である。
【０１７３】
図３０に示されるように、本実施の形態５にかかる裾長さ調節機能付き衣服としての婦人用ズボン１１０においては、厚紙６１が用いられる。この厚紙６１には上から下まで１ｃｍ刻みのミシン目６１ａが表裏に付けられており、中心線６１ｂの上の裏側には１ｃｍ幅の両面テープ６２が貼り付けられ、さらに中心に縦方向に両面テープ６２が貼り付けられて、剥離紙を剥がして脇線１８を中心として中心線６１ｂが縫付け線１６ａに一致するように、裏地１７に貼り付けられている。
【０１７４】
かかる構成を用いて婦人用ズボン１１０の裾上げを行うには、まず試着等によって裾上げ長さを決定し、厚紙６１を中心線６１ｂで手前側に折り曲げる。すると、厚紙６１の上半分の裏側に貼り付いている裏地１７が浮き上るので、裾上げ長さの目盛り６１ａの位置で折り返しながら、図３１に示されるように、表地１６もヘム１６ｂの部分を持って奥へ押し込み、裾上げ長さの目盛り６１ａの位置までで折り返す。
【０１７５】
そして、厚紙６１を強く折っておけば、裏地１７は両面テープ６２で厚紙６１に貼り付けられているので折り曲げた裾上げ位置から動くことはなく、表地１６も厚紙６１に押し付けられているので折り曲げ線（裾仕上がり線）がずれる心配はない。さらに万全を期すならば、厚紙６１の下半分にも裏側の中央付近に縦方向に両面テープ６２を貼り付けて表面の剥離紙は剥がさずにおいて、表地１６を裾上げ長さの目盛り６１ａの位置までで折り返すときに両面テープ６２の剥離紙を剥がして表地１６を貼り付ければ、裾仕上がり線が仮止めされてずれることはない。
【０１７６】
同様に、対向する位置の股下線１９側においても、厚紙６１を用いて裾上げを行って仮止めをしたら、脇線１８側と股下線１９側とを両手で持って引張り、裾の全周に亘って表地１６及び裏地１７の折り返し線を付けて裾を整える。そして、裾の全周に亘ってアイロンを掛けたら、後は２枚の厚紙６１を剥がし、例によって熱接着テープ等を用いて裏地１７の下端を表地１６の裏側に接着させれば完成である。
【０１７７】
図３２及び図３３に示されるのは、本実施の形態５に用いられる厚紙６１の変形例である。図３２（ａ）に示される厚紙６３は、裏地１７との接着力を強化するために厚紙６１の両面テープ６２に加えて、上端の裏側にも横方向に両面テープ６２を貼り、さらに上述したように表地１６の仮止めに万全を期すために、厚紙６３の下半分にも裏側に縦方向に両面テープ６２を貼り付けたものである。この厚紙６３も、上半分の３枚の両面テープ６２は剥離紙を剥がして、表地１６と裏地１７の裾側縫付け線１６ａに中心線６３ｂを合わせて裏地１７に貼り付け、下半分の両面テープ６２は最初は剥離紙を剥がさずに同様に裾上げを行う。
【０１７８】
図３２（ｂ）に示される厚紙６４も、同じく裏地１７との接着力を強化するために厚紙６１の両面テープ６２に加えて、上半分の両面テープ６２を横方向に追加したものであるが、厚紙６３と異なり厚紙６４の上端から１ｃｍ以上下がった位置に貼り付けられ、縦方向の両面テープ６２も厚紙６４の上端を少し空けている。
【０１７９】
これは、厚紙６３のように上端を裏地１７に貼り付ければ裏地１７との接着は強力となるが、厚紙６３を中心線６３ｂで折り曲げて浮き上った裏地１７を目盛り６３ａに合わせて折り返すときに、厚紙６３を上端から剥がさなければならない。このとき上端裏側に両面テープ６２で接着されていると、厚紙６３が若干剥がし難い。そこで、厚紙６４においては、このとき剥がし易いように上端は裏地１７と接着しないようにしたものである。なお、この厚紙６４においても、下半分にも裏側の縦方向に表地１６の仮止め用の両面テープ６２を貼り付けている。
【０１８０】
図３３に示される厚紙６５においては、上半分の裏側の両面テープ６２を上端を約１ｃｍ空けた縦方向と中心線６５ｂ上の横方向の２枚しか貼り付けていないが、これに限られるものでなく、厚紙６１，６３，６４のように貼り付けても良いし、その他の貼り付け方でも良い。厚紙６５の特徴は上端に１対の矢印形のストッパー６６を突出させて設け、下端にこれらのストッパー６６を貫通させて止めるための１対の切り込み６７を設けたことである。これによって、図のように中心線６５ｂで折り曲げて、裏地１７及び表地１６をそれぞれ（ミシン目）目盛り６５ａに合わせて折り返した後において、ストッパー６６を切り込み６７に貫通させて止めることによって仮止めが容易にでき、非常に使い易い裾上げ具となる。
【０１８１】
次に、上記各実施の形態１〜５について纏めて、裾上げ前の婦人用ズボンの裾のキセ及びヘムについて、図３４を参照して説明する。図３４（ａ）は婦人用ズボンの裾のキセについて示す説明図、（ｂ）はヘムについて示す説明図である。
【０１８２】
図３４（ａ）に示されるように、婦人用ズボンの裾の表地１６と裏地１７の縫付け線１６ａからさらに下に垂れ下がった裏地１７の部分がキセ１７ａであるが、このキセ１７ａの寸法には、０ｃｍ（キセなしの場合）から始まって、０．１ｃｍ，０．２ｃｍ，０．３ｃｍ，…，１ｃｍ，１．５ｃｍ、さらにそれ以上の場合もある。このように各種の寸法のキセ１７ａがあるのは、主に裾上げ方法によって裾上げのやり易さがキセ１７ａ寸法によって違うことによるものではあるが、上記各実施の形態１〜５で説明した裾上げ方法は、キセなしの場合も含めて、どのようなキセ１７ａの寸法の場合にも実施することができる。
【０１８３】
また、図３４（ｂ）に示されるように、婦人用ズボンの裾の表地１６と裏地１７の縫付け線１６ａから（最初の）裾位置までの表地１６の部分がヘム１６ｂである。したがって、キセ１７ａのある場合には、ヘム１６ｂの上にキセ１７ａが被さることになる。このヘム１６ｂの寸法にも、ほぼ０ｃｍ（付き合わせの場合）から始まって、０．１ｃｍ，０．２ｃｍ，０．３ｃｍ，…，１ｃｍ，１．５ｃｍ、さらにそれ以上の場合もある。このように各種の寸法のヘム１６ｂがあるのは、主に衣料品メーカーによる違いである。上記各実施の形態１〜５で説明した裾上げ方法は、ヘム１６ｂなしの場合も含めて、どのようなヘム１６ｂの寸法の場合にも実施することができる。
【０１８４】
上記各実施の形態においては、本発明の裾長さ調節機能付き衣服を婦人用ズボン（パンツ）に適用した場合について説明したが、本発明の裾長さ調節機能付き衣服は婦人用ズボン（パンツ）に限らず、種々の衣服に適用できるものであり、紳士用ズボン、綿パン、学生服、子供服、さらにはボタンがなく単なる筒状になっている特殊な場合（例えば、スキーウェア等）においては上着の袖長さの調節にも適用することができ、種々の衣服の裾長さ調節に用いることができるものである。
【０１８５】
裾長さ調節機能付き衣服及び各種裾上げ具の構造、形状、数量、材質、大きさ、接続関係等についても、上記各実施の形態に限定されるものではない。
【０１８６】
【発明の効果】
以上説明したように、請求項１の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、一定間隔で目盛り線を付けた裾上げ具を両面テープで貼り付けておき、前記衣服の試着または着用者の股下寸法から算出することによって裾上げ長さを決定し、前記裾上げ具を用いて前記目盛り線で見て前記表地及び前記裏地を仮の折り返し線から裾上げ長さだけ上がった新しい折り返し線で折り返し、アイロンを掛けるか仮止めするかしておいて、前記衣服の裾の対向する位置にも前記裾上げ具を用いて同様に裾上げを行い、前記衣服の裾の互いに対向する位置を両手で持って引張りながら裾の全周を前記表地及び前記裏地の前記新しい折り返し線で折り曲げて、前記裾の全周に亘ってアイロンを掛けた後、前記裏地の下端を前記裾の全周に亘って前記表地の裏側に接着するものである。
【０１８７】
このように、本発明の裾長さ調節機能付き衣服においては、衣服の裾の裏側に筒状の裏地を上端と下端で縫付けて、上端においては縫い糸が表側に殆ど出ないように特殊な縫い方（主としてルイス縫い）で衣服の裏側に環状に縫い付ける作業を予め済ませてあるため、目盛り線を付けた裾上げ具を用いて表地及び裏地を仮の折り返し線から裾上げ長さだけ上がった新しい折り返し線で折り返し、この新しい折り返し線に裾の全周を合わせて折り返すことによって、表地の裾仕上がり線の位置が短時間で確定する。そこで、全周に亘ってアイロンを掛け、表地の裾仕上がり線と裏地の新しい折り返し線を強く付けた後は、裏地の下端がひらひらしないように表地の裏側に種々の方法で接着すれば完成である。以上の裾長さ調節の作業は両足で１０分程度（片足５分程度）で完了するため、顧客を長時間待たせることなく、その場で購入した衣服を持って帰ってもらうことができる。
【０１８８】
このようにして、婦人用ズボン等の衣服の裾長さを着用する人に合わせて極めて短時間で調節することができる裾長さ調節機能付き衣服となる。
【０１８９】
請求項２の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、平板状で長手方向の少なくとも先端部分が二股に分かれ、前記二股に分かれた部分の両方の内側先端及び内側内面にアパレル用の両面テープを貼り、前記二股に分かれた部分の外側に一定間隔で目盛り線を付けた裾上げ具を用意し、前記衣服の試着または着用者の股下寸法から算出することによって裾上げ長さを決定し、前記裾上げ具の前記目盛り線を前記裏地に当てて前記裾上げ長さまで折り返し、前記裾上げ具の前記両面テープの剥離紙を全て剥がして、前記二股に分かれた部分の内側先端のうち一方は前記裏地の下端に沿って貼り付け、もう一方は新しい折り返し線で前記表地と前記裏地を挟んで裏に貼り付け、内側内面の両面テープも全て前記裏地の表裏に貼り付け、余った部分で前記二股に分かれた部分同士を貼り合わせ、前記新しい折り返し線のところで裏地及び表地を前記二股に分かれた部分の一方とともに表側に折り曲げ、さらに前記新しい折り返し線を摘まむことによって前記二股に分かれた部分の他方も反対側に折り曲げて、前記新しい折り返し線を表地で軽く摘んだまま前記裾上げ具の下端を引き下げることによって、前記新しい折り返し線を下端にして前記二股に分かれた部分の内側に貼り付いた前記裏地を引き下げ、前記表地の前記新しい折り返し線を持ったまま前記裾上げ具の上端で前記表地を折り返して、前記表地及び前記裏地の前記新しい折り返し線にアイロンを掛け、前記衣服の裾の対向する位置にも前記裾上げ具を用いて同様に裾上げを行い、前記衣服の裾の対向する位置に付けられた前記表地及び前記裏地の前記新しい折り返し線をそれぞれ両手で持って引張りながら裾の全周を前記表地及び前記裏地の前記新しい折り返し線で折り曲げて、前記裾の全周に亘ってアイロンを掛けた後、前記裾上げ具及び前記両面テープを全て取り除き、前記裏地の下端を前記裾の全周に亘って前記表地の裏側に接着するものである。
【０１９０】
このように、本発明においては、二股の目盛り線付き裾上げ具を用いて、試着等で決定された裾上げ長さを裏地において目盛り線で測定して裾上げ長さ分だけ裏地を折り返し、折り返した部分の裏地全長に裾上げ具の二股部分を予め二股の内側に貼り付けておいたアパレル用の両面テープで貼り付け、二股部分の余った分岐部分は折り曲げて二股の内側同士を接着して一体とする。そして、二股の部分で裏地を表地とともに前記折り曲げ部分で外側に折り返し、もう一方の二股の部分も同様に反対側の外側に折り返す。
【０１９１】
このように、裏地を基準として表地の新しい折り返し線（裾仕上がり線）を決めるのが本発明の特徴であり、続いて表地の新しい折り返し線を摘んだまま裾上げ具を下方に引張ることによって、裏地の新しい折り返し線を下端にして二股部分の内側に貼り付けられた裏地部分を引っ張り出す。後は、表地の新しい折り返し線をしっかり持って表地を裾上げ具の上端で折り返せば、表地及び裏地の新しい裾位置が決まるので、裾上げ具の上からアイロンを掛けて新しい裾位置を確定させる。
【０１９２】
それから、裾の約１８０度ずれた位置即ち向かい合った位置にも同様に裾上げ具を用いて裾上げを行って表地及び裏地の新しい裾位置を確定させる。これだけでは、まだ向かい合った２箇所の表地及び裏地の新しい裾位置が決まっただけなので、これら２箇所の表地及び裏地の新しい折り返し線を両手で持って引張ると、これら２箇所の間の表地及び裏地も新しい折り返し線に沿って折れ曲がろうとするので、指で摘んで全周に新しい折り返し線を付けてやる。そして、全周に亘ってアイロンを掛けて全周の新しい折り返し線を確定させたら、不要になった裾上げ具とそれに付随する両面テープを取り除き、裏地の裾を表地の裏に接着させれば完成である。
【０１９３】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【０１９４】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【０１９５】
請求項３の発明にかかる裾長さ調節機能付き衣服は、請求項２の構成において、前記裾上げ具の外側にも長手方向に前記両面テープを貼っておき、前記表地の前記新しい折り返し線を持ったまま前記裾上げ具の上端で前記表地を折り返した後、前記表地及び前記裏地の前記新しい折り返し線にアイロンを掛ける代わりに、前記裾上げ具の外側の前記両面テープの剥離紙を剥がして前記表地の前記新しい折り返し線で前記裾上げ具を折り曲げて前記表地に貼り付けて仮止めするものである。
【０１９６】
これによって、裾の一方の側の裾上げが済んだ時点で、裾の対向する位置の裾上げを行うときに、新しい折り返し線にアイロンを掛けて確定させる代わりに、裾上げ具の外側にも長手方向に両面テープを貼っておいてこれに表地の新しい折り返し線を貼り付けることによって仮止めができる。なお、この時点では、裏地は裾上げ具の内側に貼り付けられているので仮止めの必要はない。このように、両面テープで表地を仮止めすることによって、アイロンを掛けるよりもっと短時間で裾の対向する位置の裾上げに移行することができる。
【０１９７】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【０１９８】
請求項４の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、幅の異なる細長い長方形の紙もしくは布にそれぞれ先端から一定間隔で先端線に平行に目盛り線を付した２種類の目盛り紙を、前記表地と前記裏地の前記下端側の縫付け線に前記先端線が一致して前記２種類の目盛り紙の前記先端線が密着するように、前記２種類の目盛り紙のうち一方を前記表地に他方を前記裏地にそれぞれアパレル用の両面テープを用いて貼り付けておき、前記衣服の試着または着用者の股下寸法から算出することによって裾上げ長さを決定し、決定した裾上げ長さに相当する前記目盛り線において、前記一方の目盛り紙を前記表地とともに内側に折り返し、前記他方の目盛り紙を前記裏地とともに内側に折り返して、新しい折り返し線にそれぞれアイロンを掛け、前記衣服の裾の対向する位置にも前記２種類の目盛り紙を同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記２種類の目盛り紙及び前記両面テープを全て取り除き、前記裏地の下端を前記裾の全周に亘って前記表地の裏側に接着するものである。
【０１９９】
このように、本発明においては、目盛り線の付いた２種類の紙を表地と裏地の縫い合せ線で突き合わせてそれぞれ両面テープで貼り付けておくことによって、決定した裾上げ長さ分だけ目盛り線を数えてそこで表地及び裏地を内側に折り返すことによって簡単に新しい折り返し線が決定する。そこで、アイロンを掛けて新しい折り返し線を確定しておいて、裾の対向する部分も同様に新しい折り返し線を確定し、両手で引張ることによって全周に亘って新しい折り返し線を付けてアイロンを掛けて確定し、後は２種類の目盛り紙と付随する両面テープを取り除いて、裏地の裾を表地の裏に接着させれば完成である。
【０２００】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【０２０１】
このようにして、予め所定の目盛り紙を表地及び裏地に貼り付けておくことによって、裾長さの調節がスムースにできて、婦人用ズボン等の衣服の裾長さを着用する人に合わせて極めて短時間で調節することができる裾長さ調節機能付き衣服となる。
【０２０２】
請求項５の発明にかかる裾長さ調節機能付き衣服は、請求項４の構成において、前記２種類の目盛り紙のうち幅の広い目盛り紙が先端側から中央部分を後端の手前まで切り取られた門のような形状であり、２つに分かれた前記先端の前記先端線がそれぞれ前記縫付け線に一致するように前記両面テープで前記表地または前記裏地に貼り付けておき、前記２種類の目盛り紙のうち幅の狭い目盛り紙を、前記幅の広い目盛り紙の２つに分かれた前記先端線及び前記縫付け線にそれぞれ先端線が密着するように２枚前記両面テープで前記裏地または前記表地に貼り付けておくものである。
【０２０３】
これによって、目盛り線の付いた目盛り紙が２箇所に広がって貼り付けられることになり、決定した裾上げ長さで折り返す幅もより広くなるので裾の１箇所に付き新しい折り返し線をより長く確定させることができる。しかも、２種類の目盛り紙のいずれも２箇所の目盛り紙の間は布地なので、裾の対向する２箇所を両手で持って引っ張るときでも幅の広い目盛り紙が突っ張ることもなく、スムースに全周に亘って新しい折り返し線を付けることができる。
【０２０４】
このようにして、より目盛り線に沿った折り返しがやり易くなり、衣服の裾長さを着用する人に合わせて極めて短時間で調節することができる裾長さ調節機能付き衣服となる。
【０２０５】
請求項６の発明にかかる裾長さ調節機能付き衣服は、請求項４の構成において、前記２種類の目盛り紙のうち幅の広い目盛り紙が先端側から少し中に入った中央部分を後端の手前まで切り取れるようにミシン目を付けておき、前記２種類の目盛り紙のうち幅の狭い目盛り紙を前記中央部分の両側に１枚ずつ接続した一体の目盛り紙として、前記中央部分には表側に前記両面テープを一部に縦方向にまたは全面に亘って貼り付けて、前記両面テープを貼り付けた部分には剥離紙を貼り付けておき、使用時には前記一体の目盛り紙の幅の変化する線を前記縫付け線に一致するように前記両面テープで前記表地及び前記裏地に貼り付けておき、前記決定した裾上げ長さに相当する前記目盛り線において、前記一体の目盛り紙を前記表地及び前記裏地とともに内側に折り返したとき、新しい折り返し線にそれぞれアイロンを掛ける代わりに、前記中央部分を前記ミシン目で切り離して前記表地側に折り返し、前記剥離紙を剥がして前記表地の前記新しい折り返し線に前記両面テープを貼り付けて仮止めするものである。
【０２０６】
これによって、裏地は両面テープで一体の目盛り紙の一部に仮止めされているので、表地の前記新しい折り返し線を中央部分の表面に貼り付けた両面テープで仮止めすることによって、アイロンを掛けて確定させる必要がなくなり、より短時間で裾の対向する位置の裾上げに移行することができる。また、２種類の目盛り紙が１つの部品となって保管・取り扱いが非常に容易になる。
【０２０７】
このようにして、より目盛り線に沿った折り返しが短時間でやれるようになり、衣服の裾長さを着用する人に合わせて極めて短時間で調節することができる裾長さ調節機能付き衣服となる。
【０２０８】
請求項７の発明にかかる裾長さ調節機能付き衣服は、請求項４または請求項５の構成において、前記２種類の目盛り紙をそれぞれの先端線で接続して一体の目盛り紙とし、使用時には幅の変化する線を前記縫付け線に一致するように前記両面テープで前記表地及び前記裏地に貼り付けておくものである。
【０２０９】
これによって、２種類の目盛り紙が１つの部品となって保管・取り扱いが非常に容易になり、使用時には幅の変化する線を縫付け線に一致するように予め両面テープで表地及び裏地に貼り付けておけば良いだけなので、目盛り線による裾上げがより簡単になる。
【０２１０】
このようにして、より目盛り線に沿った折り返しがやり易くなり、衣服の裾長さを着用する人に合わせて極めて短時間で調節することができる裾長さ調節機能付き衣服となる。
【０２１１】
請求項８の発明にかかる裾長さ調節機能付き衣服は、請求項４乃至請求項７のいずれか１つの構成において、前記目盛り紙の前記目盛り線に前記先端線または前記幅の変化する線をゼロとして１から順に数字を付したものである。
【０２１２】
これによって、決定した裾上げ長さに相当する目盛り線を捜すときに、目盛り線に数字が付いているので数え間違えることがなく、より確実に表地及び裏地の折り返し線を決定することができる。
【０２１３】
このようにして、より目盛り線に沿った折り返しがやり易くなり、衣服の裾長さを着用する人に合わせて極めて短時間で調節することができる裾長さ調節機能付き衣服となる。
【０２１４】
請求項９の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、先端が一直線で幅の広いある程度強度があり表裏に一定間隔で目盛り線を付けた平板状の裾上げ具を、前記先端が前記表地と前記裏地の前記下端側の縫付け線に一致するように、前記先端部分を前記表地にアパレル用の両面テープを用いて貼り付けておき、先端から一定間隔で目盛り線を付けた細長いシールをやはり前記先端が前記縫付け線に一致するように前記裾上げ具の先端近傍にほぼ全面を前記裏地にアパレル用の両面テープを用いて貼り付けておき、前記衣服の試着または着用者の股下寸法から算出することによって裾上げ長さを決定し、前記裾上げ具を持って前記表地を滑らせ前記裏地を巻き込みながら前記裾上げ長さまで押し込み、前記裾上げ長さに相当する前記目盛り線において、前記表地を内側に折り返し、前記細長いシールを前記裏地とともに内側に折り返して、新しい折り返し線にそれぞれアイロンを掛け、前記衣服の裾の対向する位置にも前記裾上げ具と前記細長いシールを同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記裾上げ具と前記細長いシール及び前記両面テープを全て取り除き、前記裏地の下端を前記裾の全周に亘って前記表地の裏側に接着するものである。
【０２１５】
このように、本発明においては、先端が一直線で幅の広いある程度強度があり表裏に一定間隔で目盛り線を付けた平板状の裾上げ具によって、決定した裾上げ長さだけ表地と裏地を縫付け線から奥へ押し込んで行くことによって、裾上げを行うものである。このとき、裾上げ具の先端は表地側に貼り付けられているので、裏地を一緒に巻き込み易いように、また裾上げ長さを裏地についても見られるように、目盛り線付きの細長いシールを裏地にも裾上げ具の先端近傍にやはり先端を縫付け線に一致させて両面テープで貼り付けてある。
【０２１６】
裾上げ長さだけ表地及び裏地を押し込んだら、裾上げ長さに相当する目盛り線において表地及び裏地をそれぞれ内側に折り返して、新しい折り返し線にアイロンを掛けて確定させ、裾の対向する位置においても同様に裾上げを行って、両手で引張ることによって全周に亘って新しい折り返し線を付けてアイロンを掛けて確定し、後は裾上げ具と細長いシールと付随する両面テープを取り除いて、裏地の裾を表地の裏に接着させれば完成である。
【０２１７】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【０２１８】
このようにして、予め裾上げ具と細長いシールを表地及び裏地に貼り付けておくことによって、裾長さの調節がスムースにできて、婦人用ズボン等の衣服の裾長さを着用する人に合わせて極めて短時間で調節することができる裾長さ調節機能付き衣服となる。
【０２１９】
請求項１０の発明にかかる裾長さ調節機能付き衣服は、請求項８の構成において、前記裾上げ具は、前記裾上げ長さを決定した後に、前記縫付け線に一致するように前記先端部分を前記表地に前記両面テープを用いて貼り付けて裾上げを行うものである。
【０２２０】
前記裾上げ具は、先端が一直線で幅の広いある程度強度があり表裏に一定間隔で目盛り線を付けた平板状のものであり、しかもその先端が縫付け線に一致するように表地に貼り付けて使用するものである。したがって、先端を除く全体が裾上げ前の衣服の裾から垂れ下がって見えることになり、衣料品店においては店頭に陳列しておくのに見栄えが悪いと感じたり、顧客においても試着がし難いと感じる可能性がある。そこで、この裾上げ具（裾の対向する位置に２個取り付けられる。）は、陳列時、試着時にはまだ付けないでおき、試着が済んで（或いは股下長さから算出して）裾上げ長さが決定してから取付けることにしたものである。なお、細長いシールは裏地に貼り付けられるものであり、堅さもないものであるから、陳列時、試着時に問題になることはない。
【０２２１】
このようにして、陳列時の見栄えも良く、試着もし易く、しかも裾長さの調節がスムースにできて、婦人用ズボン等の衣服の裾長さを着用する人に合わせて極めて短時間で調節することができる裾長さ調節機能付き衣服となる。
【０２２２】
請求項１１の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、細長い長方形またはその他の細長い形状、或いは細長い長方形またはその他の細長い形状が複数平行に並べられて上端で接続された形状、或いは細長い長方形またはその他の細長い形状が途中で幅が一旦細くなって再び元の幅に戻って同じ長さだけ伸びた上下対称の形状の紙シールに、下端または前記幅が一旦細くなった部分から一定間隔で目盛り線を付し、前記下端または前記幅が一旦細くなった部分が前記裏地の下端に一致するように、前記裏地または前記表地にアパレル用の両面テープを用いて貼り付けておき、前記衣服の試着または着用者の股下寸法から算出することによって裾上げ長さを決定し、前記表地の裏側の下端近傍を持って前記紙シールを下端から剥がしながら前記裏地を巻き込みつつ前記表地を奥へ押し込んで行き、前記紙シールの前記目盛り線で見て前記裾上げ長さまで前記裏地または前記表地が押し込まれたら、前記裾上げ長さで前記裏地及び前記表地をそれぞれ内側へ折り返して新しい折り返し線にそれぞれアイロンを掛け、前記衣服の裾の対向する位置にも前記紙シールを同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記紙シール及び前記両面テープを全て取り除き、前記裏地の下端を前記裾の全周に亘って前記表地の裏側に接着するものである。
【０２２３】
本発明の裾長さ調節機能付き衣服は、請求項９及び請求項１０における裾上げ具を用いずに、両手の指を用いて表地を裏地とともに押し込んで行くものである。この際、裾上げ長さの目安になるように裏地に細長い長方形またはその他の細長い形状、或いは細長い長方形等が複数平行に並べられて上端で接続された形状、或いは細長い長方形等が途中で幅が一旦細くなって再び元の幅に戻って同じ長さだけ伸びた上下対称の形状の紙シールに一定間隔で目盛り線を付したものを裏地に両面テープで予め貼り付けておく。
【０２２４】
そして、表地の裏側のヘム部分を指先で持って表地を縫付け線の奥へ押し込んで行くと、裏地もそれに伴って巻き込まれながら紙シールが下端から剥がれて行く。これは、前述の如く、両面テープがアパレル用の剥がれ易いものだからである。そして、紙シールの目盛り線で見て決定した裾上げ長さまで表地が押し込まれたら、裾上げ長さで表地及び裏地をそれぞれ内側へ折り返して新しい折り返し線にアイロンを掛けて確定する。さらに、裾の対向する位置においても同様に裾上げを行って、両手で引張ることによって全周に亘って新しい折り返し線を付けてアイロンを掛けて確定し、後は紙シールと付随する両面テープを取り除いて、裏地の裾を表地の裏に接着させれば完成である。
【０２２５】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【０２２６】
このようにして、予め細長い紙シールを裏地に貼り付けておくことによって、裾長さの調節がスムースにできて、婦人用ズボン等の衣服の裾長さを着用する人に合わせて極めて短時間で調節することができる裾長さ調節機能付き衣服となる。
【０２２７】
請求項１２の発明にかかる裾長さ調節機能付き衣服は、請求項１１の構成において、前記裏地に前記裏地の下端線を基準として前記紙シールと同一間隔で前記下端線に平行に前記衣服の裾の対向する２箇所の近傍または全周に亘って目盛り線を付け、或いは前記目盛り線を含む柄がプリントされている生地を裏地として用いて、前記紙シールには前記目盛り線を付しまたは前記目盛り線を付さずに前記裏地または前記表地に前記両面テープを用いて貼り付けて同様に裾上げを行うものである。
【０２２８】
このように、裏地にも紙シールの目盛り線と同一間隔の目盛り線またはストライプ模様が付されていれば、より安心して裾上げができ、さらには紙シールには目盛り線が付されていなくても裏地の目盛り線を頼りに裾上げを行うことができる。
【０２２９】
このようにして、より確実に、裾長さの調節がスムースにできて、婦人用ズボン等の衣服の裾長さを着用する人に合わせて極めて短時間で調節することができる裾長さ調節機能付き衣服となる。
【０２３０】
請求項１３の発明にかかる裾長さ調節機能付き衣服は、請求項１２の構成において、前記紙シールを用いず、前記裏地の前記目盛り線を目印にして同様に裾上げを行うものである。
【０２３１】
上述の如く、裏地にも紙シールの目盛り線と同一間隔の目盛り線またはストライプ模様が付されていれば、紙シールには目盛り線が付されていなくても裏地の目盛り線を頼りに裾上げを行うことができる。したがって、最初から紙シールを裏地に貼り付けずに裏地の目盛り線を目印に裾上げを行うことができ、紙シールは不要となる。
【０２３２】
このようにして、より簡単に、裾長さの調節がスムースにできて、婦人用ズボン等の衣服の裾長さを着用する人に合わせて極めて短時間で調節することができる裾長さ調節機能付き衣服となる。
【０２３３】
請求項１４の発明にかかる裾長さ調節機能付き衣服は、衣服の裾と略同じ外周を有する所定幅の裏地が筒状に合わされて上端と下端において前記衣服の裾の全周に亘って表地の裏側に縫付けられた裾長さ調節機能付き衣服であって、折り曲げ自在な厚手の材料からなる長さも長く幅も広い長方形の裾上げ具に上端と下端の中間に折り曲げ中心線を付け、この折り曲げ中心線に平行に目盛り線を一定間隔で上半分は表面だけに、下半分は表裏両面に目盛り線を付け、前記折り曲げ中心線から上半分は裏側にアパレル用の両面テープを貼って前記折り曲げ中心線が前記裏地の下端に一致するように前記裏地に貼り付けておき、前記衣服の試着または着用者の股下寸法から算出することによって裾上げ長さを決定し、前記裾上げ具を前記折り曲げ中心線から手前に折り曲げて、折り曲げられた前記裾上げ具の前記上半分とともに浮き上る前記裏地を前記裾上げ具の上端の両面テープから剥がして折り返しながら前記表地を前記裾上げ具の前記下半分とともに奥へ押し込んで行き、前記表地及び前記裏地が前記裾上げ具の目盛り線で見て前記裾上げ長さまで折り返されたら、前記裏地及び前記表地をそれぞれ内側へ折り返して新しい折り返し線にそれぞれアイロンを掛け、前記衣服の裾の対向する位置にも前記裾上げ具を同様に貼り付けておいて同様に裾上げを行い、前記衣服の裾の対向する位置に付けられた前記表地及び前記裏地の前記新しい折り返し線をそれぞれ両手で持って引張りながら前記裾の全周を前記表地及び前記裏地の前記新しい折り返し線で折り曲げて、前記裾の全周に亘ってアイロンを掛けた後、前記裾上げ具及び前記両面テープを全て取り除き、前記裏地の下端を前記裾の全周に亘って前記表地の裏側に接着するものである。
【０２３４】
本発明の裾長さ調節機能付き衣服は、折り曲げ自在な厚手の材料からなる長さも長く幅も広い長方形の裾上げ具を縦方向の中間位置に折り曲げ中心線を付け、この折り曲げ中心線より上の部分には裏側に両面テープを付けて裏地に貼り付け、折り曲げ中心線で２つに折り曲げることによって上半分に貼り付いた裏地を浮かせることによって裾上げを行うものである。即ち、決定した裾上げ長さに達するまで裏地は上端から両面テープを剥がして裾上げ具から離して折り返して行き、表地は折り曲げた裾上げ具の下半分とともに奥へ押し込んで行き、裾上げ具の目盛り線で見て決定した裾上げ長さまで表地が押し込まれたら、裾上げ長さで表地及び裏地をそれぞれ内側へ折り返して新しい折り返し線にアイロンを掛けて確定する。さらに、裾の対向する位置においても同様に裾上げを行って、両手で引張ることによって全周に亘って新しい折り返し線を付けてアイロンを掛けて確定し、後は裾上げ具と付随する両面テープを取り除いて、裏地の裾を表地の裏に接着させれば完成である。
【０２３５】
この接着の方法には、熱接着テープを用いる方法、熱接着糸を用いる方法、布地用の液体接着剤を用いる方法等があるが、いずれも手縫いまたはミシンで裾の表側に糸が出ないように縫付けるより遥かに容易であり、また比較にならないほど短時間でできる。この接着の工程も合わせて、以上の裾上げは約１０分程度（片足５分程度）でできるので、顧客を長時間待たせることなくその場で購入した衣服を持って帰ってもらうことができる。また、待ち針を使わないので顧客や店員がうっかり待ち針に触れて怪我をすることもない。
【０２３６】
このようにして、予め目盛り付き裾上げ具の上半分を裏地に貼り付けておくことによって、裾長さの調節がスムースにできて、婦人用ズボン等の衣服の裾長さを着用する人に合わせて極めて短時間で調節することができる裾長さ調節機能付き衣服となる。
【０２３７】
請求項１５の発明にかかる裾長さ調節機能付き衣服は、請求項１４の構成において、前記裾上げ具の下半分の裏側にも前記両面テープを貼り付けて表面の剥離紙は剥がさずにおき、前記表地が前記新しい折り返し線で折り返されたときに表面の剥離紙を剥がして前記裾上げ具の下半分を前記表地の前記新しい折り返し線に貼り付けて仮止めするものである。
【０２３８】
ここで、裏地は裾上げ具の上半分の裏側に両面テープで貼り付けられているので、新しい折り返し線が決定したときに上端から新しい折り返し線までを剥がすことによって仮止めされている。そこで、裾上げ具の下半分の裏側にも両面テープを貼り付けておいて、表地の新しい折り返し線が決定したときにこの両面テープの剥離紙を剥がして表地の新しい折り返し線に貼り付けることによって仮止めすることができる。このように、両面テープで表地を仮止めすることによって、アイロンを掛けるよりもっと短時間で裾の対向する位置の裾上げに移行することができる。
【０２３９】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【０２４０】
請求項１６の発明にかかる裾長さ調節機能付き衣服は、請求項１４または請求項１５の構成において、前記裾上げ具の上端に一または二以上のストッパーを突出させ、前記裾上げ具を前記折り曲げ中心線で手前に折り曲げたときに対応する前記裾上げ具の下端近傍に前記ストッパーを貫通させて止める一または二以上の切り込みを設けたものである。
【０２４１】
かかるストッパーを設けて切り込みに貫通させて止めることによって、折り曲げ中心線で手前に折り曲げた裾上げ具は２つに折れ曲がった状態で固定され、上端と下端が離れることがないので、裾上げが非常にやり易くなり、また新しい折り返し線で表地及び裏地を折り返したときには仮止めの役目も果たす。
【０２４２】
このようにして、予め所定の裾上げ具を用意しておくことによって、裾長さの調節がスムースにできて、婦人用ズボン等の衣服の裾長さを着用する人に合わせて極めて短時間で調節することができる裾長さ調節機能付き衣服となる。
【０２４３】
請求項１７の発明にかかる裾長さ調節機能付き衣服は、請求項１乃至請求項１６のいずれか１つの構成において、前記衣服の裾の全周または半周分の長さに切った熱接着テープの片面に、細かく切った工作用の両面接着テープを間隔をおいて複数枚貼り付け、表面側の剥離紙は剥がさずにおくか、または前記表面側の剥離紙を全て剥がして前記熱接着テープの全長に亘る長い剥離紙を前記工作用の両面接着テープの接着面に止めることによって貼り付けたものを用意しておき、前記表地及び前記裏地の新しい折り返し線の間を開いて、前記複数枚の工作用の両面接着テープの表面側の剥離紙を全て剥がすか、前記長い剥離紙を剥がして、前記裏地の新しい折り返し線に沿って前記裏地の下端の前記表地側に前記熱接着テープを全周に亘って貼り付け、アイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着するものである。
【０２４４】
かかる熱接着テープを衣服の裾の全周または半周の長さに切って、常温では接着力がないために工作用の通常の両面接着テープを細かく切って間隔を空けて貼り付けておくことにより、接着しようとする表地及び裏地の新しい折り返し線の下端に仮止めする。このように、熱接着テープを裾の全周の長さに切った場合は１枚、裾の半周の長さに切った場合は２枚、裾の全周に亘って仮止めしておき、まずアイロンを裏地の裏側から裾の全周に亘って掛けて熱接着テープを融かして表地と裏地を接着させ、最後にスチームアイロンを掛けて仕上げる。
【０２４５】
最初からスチームアイロンを掛けて熱接着テープを融かすとともに仕上げることをしないのは、スチームアイロンを掛けるとしっかり固定されてもう修正が効かないのに対して、アイロンを掛けて熱溶融させた段階では折り目がずれたりした場合でも未だ修正することができるからである。なお、熱接着テープを仮止めしていた細かい両面接着テープは溶融した熱接着テープとともに表地と裏地の間に隠れてしまうので、除去しなくても衣服の裾の見栄えを損なうことはない。
【０２４６】
このようにして、裾の全周または半周の長さに切って仮止め用の工作用両面接着テープを間隔を空けて貼り付けたものを予め用意しておくことによって、裾上げの最終段階である接着工程を短時間でスムースに行うことができ、婦人用ズボン等の衣服の裾長さを着用する人に合わせて極めて短時間で調節することができる裾長さ調節機能付き衣服となる。
【０２４７】
請求項１８の発明にかかる裾長さ調節機能付き衣服は、請求項１７の構成において、前記裾上げ長さが決定した段階で前記裏地及び表地を前記裾上げ長さまで折り返し、前記衣服の裾の全周または半周分の長さに切った熱接着テープの片面に細かく切った工作用の両面接着テープを間隔をおいて複数枚貼り付けたものを、前記折り返した裏地の裾に全周に亘って予め貼り付けておいてから裾上げの作業を開始するものである。
【０２４８】
即ち、前記工作用の両面接着テープ付き熱接着テープを用いて、剥離紙を剥がして、裏地の下端に両面接着テープの接着力で全周或いは半周分の熱接着テープを貼り付ける。そして、半周分の場合は残りの半周分の熱接着テープを貼り付けた後、裾上げの作業を行う。その後、裏地の下端の裏面からアイロンを掛ければ、この部分の裏地の表側には既に裾全周に熱接着テープが貼り付けられているので、裏地の表側下端が表地の裏側に熱接着されて、後はスチームアイロンで裾全周を仕上げて裾上げが完了する。
【０２４９】
このようにして、裾の全周または半周の長さに切って仮止め用の工作用両面接着テープを間隔を空けて貼り付けたものを予め貼り付けておくことによって、裾上げの最終段階である接着工程を短時間でスムースに行うことができ、婦人用ズボン等の衣服の裾長さを着用する人に合わせて極めて短時間で調節することができる裾長さ調節機能付き衣服となる。
【０２５０】
請求項１９の発明にかかる裾長さ調節機能付き衣服は、請求項１乃至請求項１６のいずれか１つの構成において、熱接着テープを短く切ったものの片面の両端に細かく切った工作用の両面接着テープを貼り付けたものを前記裾の全周分だけ用意しておき、前記表地及び前記裏地の新しい折り返し線の間を開いて、前記熱接着テープを短く切ったものの両端の工作用の両面接着テープの剥離紙を剥がしながら、前記裏地の新しい折り返し線に沿って前記裏地の下端の前記表地側に前記熱接着テープを貼り付け、全周に亘って貼り付け終わったらアイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着するものである。
【０２５１】
この接着方法においては、同じく熱接着テープを用いているが、より短く切り分けて両端に細かく切った工作用の両面接着テープを貼り付けておき、熱接着テープを裏地の下端に仮止めするために用いる。このように、熱接着テープを短く切り分けて貼り合わせて行く方が、熱接着テープを全周または半周分の長さに切って一度に貼り付けるよりも容易であり、裏地の下端に平行に真っ直ぐ貼り合わせて行くことができる。全周または半周分の長い熱接着テープは、１箇所の両面接着テープを貼り付けているときに未だ貼り付けられていない両面接着テープが衣服の裾の表や裏に貼り付いたりして、初心者には綺麗に裏地の下端に平行に一度に貼り付けるのは容易ではない。
【０２５２】
このようにして、熱接着テープをより短く切り分けて両端に細かく切った工作用の両面接着テープを貼り付けたものを裾全周分予め用意しておくことによって、裾上げの最終段階である接着工程を、より容易に短時間でスムースに行うことができ、婦人用ズボン等の衣服の裾長さを着用する人に合わせて極めて短時間で調節することができる裾長さ調節機能付き衣服となる。
【０２５３】
請求項２０の発明にかかる裾長さ調節機能付き衣服は、請求項１乃至請求項１６のいずれか１つの構成において、熱接着テープを短く切ったものの両端の互いに表裏反対側に細かく切った工作用の両面接着テープを、裏側は前記細かく切った工作用の両面接着テープの幅だけ端からスペースをとって貼り付けたものを前記裾の全周分だけ用意しておき、前記表地及び前記裏地の新しい折り返し線の間を開いて、前記熱接着テープを短く切ったものの両端の工作用の両面接着テープの剥離紙を剥がしながら、前記裏側の工作用の両面接着テープは前記裏地の新しい折り返し線に沿って前記裏地の下端の前記表地側に前記熱接着テープを貼り付け、前記表側の工作用の両面接着テープは先に貼り付けた前記熱接着テープの裏側の前記スペースに貼り付けて前記熱接着テープを次々に接続しながら前記裏地の新しい折り返し線に沿って前記裏地の下端の前記表地側に貼り付けて行き、全周に亘って貼り付け終わったらアイロンを前記裏地の裏側から全周に亘って掛けて前記表地と前記裏地を前記熱接着テープを融かして熱接着させ、最後に全周に亘ってスチームアイロンを掛けて仕上げることによって、前記裏地の下端を前記裾の全周に亘って前記表地の裏側に接着するものである。
【０２５４】
この接着方法においても、同じく熱接着テープをより短く切り分けて両端の表と裏に互い違いに細かく切った工作用の両面接着テープを貼り付けておき、裏側の両面接着テープは熱接着テープを裏地の下端に仮止めするために用い、表側の両面接着テープは熱接着テープ同士をつなぎ合わせて行くために用いる。このように、熱接着テープを短く切り分けて貼り合わせて行く方が、熱接着テープを全周または半周分の長さに切って一度に貼り付けるよりも容易であり、裏地の下端に平行に真っ直ぐ貼り合わせて行くことができる。また、このように端を重ね合わせて熱接着テープを貼り付けて行く方が隙間ができずに貼り付けることができる。
【０２５５】
このようにして、熱接着テープをより短く切り分けて両端の表と裏に互い違いに細かく切った工作用の両面接着テープを貼り付けたものを裾全周分予め用意しておくことによって、裾上げの最終段階である接着工程を、より容易に短時間でスムースに行うことができ、婦人用ズボン等の衣服の裾長さを着用する人に合わせて極めて短時間で調節することができる裾長さ調節機能付き衣服となる。
【０２５６】
請求項２１の発明にかかる裾長さ調節機能付き衣服は、請求項１乃至請求項１６のいずれか１つの構成において、熱接着テープを前記裾全周の長さに切って、前記裏地の新しい折り返し線に沿って前記裏地の下端の前記表地側に前記熱接着テープを当てて、小型で薄型のクリップを用いて適当な間隔で止めて行き、全周に亘って止め終わったら、まず前記クリップで止めてある部分以外の下端にアイロンを掛けて前記熱接着テープを融かして前記表地と前記裏地を熱接着させ、前記クリップで止めてある部分のみが残ったところで前記クリップを全て引き抜いて取り除き前記クリップで止めてあった部分にアイロンを掛けて前記表地と前記裏地を熱接着させ、最後に全周に亘ってスチームアイロンを掛けて仕上げることによって、前記裏地の下端を前記裾の全周に亘って前記表地の裏側に接着するものである。
【０２５７】
小型で薄型のクリップを用いて、裾全周の長さに切った熱接着テープを裏地の新しい折り返し線（下端）に沿って、適当な間隔で全周に亘って止める。ここで、クリップごと裏地の裏から全周に亘ってアイロンを掛けても熱接着テープを溶融させて裏地を表地の裏に熱接着させることは可能であるが、ゼムクリップ、ゼムクリップＶ形等は硬い金属製であるために、クリップの跡が表地及び裏地の裾に付いてしまう。特に、表地に付いたクリップの跡は衣服の商品価値を大きく下落させてしまう。
【０２５８】
そこで、まずクリップで止めていない部分のみにアイロンを掛けて裏地を表地の裏に熱接着させて、全周の形が整ったところでクリップを全て取り除いて、クリップで止めてあった部分にも全てアイロンを掛けて裏地を表地の裏に熱接着させる。そして、最後に全周に亘ってスチームアイロンを掛けて仕上げる。この接着方法は、次に述べる厚紙製クリップのみを用いる方法に比べると多少手間がかかるが、市販の小型クリップを用いることができ、厚紙製クリップをわざわざ製作しなくても良いという特長がある。
【０２５９】
このようにして、熱接着テープを裏地の新しい折り返し線に沿って適当な間隔でクリップで止め、先にクリップで止めてある周辺以外の部分を熱接着し、それからクリップを取り除いてクリップで止めてあった周辺部分を熱接着することによって、裾上げの最終段階である接着工程を短時間でクリップの跡を付けることなくスムースに行うことができ、婦人用ズボン等の衣服の裾長さを着用する人に合わせて極めて短時間で調節することができる裾長さ調節機能付き衣服となる。
【０２６０】
請求項２２の発明にかかる裾長さ調節機能付き衣服は、請求項２１の構成において、前記クリップとして厚紙製のクリップを用いて、前記厚紙製のクリップで止めてある部分も含めて全周に亘ってアイロンを掛けて前記熱接着テープを融かして前記表地と前記裏地を熱接着させ、その後前記厚紙製のクリップを取り除いて最後に全周に亘ってスチームアイロンを掛けて仕上げるものである。
【０２６１】
このように、本接着方法においては、特別に作製した厚紙製のクリップを用いて熱接着テープを裏地の新しい折り返し線に沿って適当な間隔で厚紙製クリップで止め、厚紙製クリップで止めてある部分も含めて裾の全周に亘って１回アイロンを掛けるだけで、裾の全周に亘って熱接着テープを溶融させて裏地を表地の裏に熱接着させることができる。後は、厚紙製クリップを全て取り除いて全周に亘ってスチームアイロンを掛けて仕上げればよい。したがって、請求項２１の接着方法に比べてより短時間で仕上げることができる。
【０２６２】
このようにして、特製の厚紙製クリップを必要数用意しておくだけで、裾上げの最終段階である接着工程を、より短時間でスムースに行うことができ、婦人用ズボン等の衣服の裾長さを着用する人に合わせて極めて短時間で調節することができる裾長さ調節機能付き衣服となる。
【０２６３】
請求項２３の発明にかかる裾長さ調節機能付き衣服は、請求項１乃至請求項１６のいずれか１つの構成において、熱接着糸またはそれを鎖状に編んだものを前記裾全周の長さに切って、または適当な本数に切り分けて、前記裏地の新しい折り返し線に沿って前記裏地の下端の前記表地側に前記熱接着糸を両面接着シールを用いて適当な間隔で止めて行き、全周に亘って止め終わったら、全周に亘ってアイロンを掛けて前記熱接着糸を融かして前記表地と前記裏地を熱接着させ、最後に全周に亘ってスチームアイロンを掛けて仕上げることによって、前記裏地の下端を前記裾の全周に亘って前記表地の裏側に接着するものである。
【０２６４】
熱接着糸または熱接着糸を予め鎖状に編んだものを裾全周の長さに切ってまたは適当な本数に切り分けて、両面接着シールで適当な間隔で裏地の下端に沿って止めて行き、全周止め終わったらアイロン掛けで熱接着し、スチームアイロンで仕上げる。
【０２６５】
このようにして、熱接着糸またはそれを鎖状に編んだものと両面シールを予め用意しておくことによって、裾上げの最終段階である接着工程を、より短時間でスムースに行うことができ、婦人用ズボン等の衣服の裾長さを着用する人に合わせて極めて短時間で調節することができる裾長さ調節機能付き衣服となる。
【０２６６】
請求項２４の発明にかかる裾長さ調節機能付き衣服は、請求項１乃至請求項１６のいずれか１つの構成において、前記表地及び前記裏地の新しい折り返し線の間に熱接着糸またはそれを鎖状に編んだものの端を入れて順に前記熱接着糸またはそれを鎖状に編んだものを入れながらアイロンを掛けて前記熱接着糸を融かして前記表地と前記裏地を熱接着させて行き、全周に亘ってアイロンを掛けて前記熱接着糸を融かして前記表地と前記裏地を熱接着させ終わったら、最後に全周に亘ってスチームアイロンを掛けて仕上げることによって、前記裏地の下端を前記裾の全周に亘って前記表地の裏側に接着するものである。
【０２６７】
このように、熱接着糸またはそれを鎖状に編んだものを全周に貼り付けておくのでなく、熱接着糸またはそれを鎖状に編んだものを端から裏地と表地の間に入れながらアイロンを掛けて、裏地を表地の裏側に熱接着させて行く方法もある。熟練者であれば一々仮止めしてからアイロンを掛けるより、この方法の方が早くできる可能性がある。
【０２６８】
請求項２５の発明にかかる裾長さ調節機能付き衣服は、請求項１乃至請求項１６のいずれか１つの構成において、前記表地及び前記裏地の新しい折り返し線の間の前記裏地に布地用の液体接着剤を塗り付けて前記液体接着剤が乾かないうちに前記表地の裏に貼り合わせることによって、前記裏地の下端を前記裾の全周に亘って前記表地の裏側に接着するものである。
【０２６９】
ここで、表地は折り返されて二重になっているので、裏地に布地用の液体接着剤を多少多めに塗り付けても、表地の外側まで染み出す恐れはなく衣服の裾の外観を損ねる心配はない。
【０２７０】
このようにして、裏地に布地用の液体接着剤を塗り付けて表地の裏に貼り合わせることによって、糸も両面テープもアイロンも使わずに、極めて容易に裾上げの最終段階である接着工程を行うことができ、婦人用ズボン等の衣服の裾長さを着用する人に合わせて極めて短時間で調節することができる裾長さ調節機能付き衣服となる。
【０２７１】
請求項２６の発明にかかる裾長さ調節機能付き衣服は、請求項１乃至請求項２５のいずれか１つの構成において、前記目盛り線の間隔を１ｃｍとしたものである。
【０２７２】
請求項１乃至請求項２５の構成においては、目盛り線の間隔は一定間隔として特に単位は定めていなかった。したがって、インチ単位でもフィート単位でもヤード単位でも寸単位でも、とにかく裾上げ長さがわかれば、目盛り線がどんな間隔で引かれていても裾上げを行うことができる。しかし、日本国内においては、メートル法にしたがってメートル単位を用いるのが一般的であるし、定規もメジャーもメートル単位で作られている。また、自分の股下寸法を覚えている人についてもセンチメートル単位で覚えている人が多い。さらに、出来上がりの衣服の裾長さも１ｃｍの誤差範囲内に入っていれば大多数の顧客は満足する。そこで、目盛り線の間隔を１ｃｍとすることによって、混乱することなくよりスムースに裾上げ作業を行うことができる。
【０２７３】
請求項２７の発明にかかる裾長さ調節機能付き衣服は、請求項１乃至請求項２６のいずれか１つの構成において、前記裏地は銀の膜を合成樹脂フィルムに挟んで細く切った銀の糸及び／または遠赤外線セラミックス及び／または静電気防止材をその一部に用いて織られたものである。
【０２７４】
このような銀の糸を含む裏地は、銀の糸が電気を極めて良く通すため静電気が溜まることがなく、衣服の裾のまとわり付き等の静電気による弊害が完全に防止される。また、銀は抗菌性・防臭効果を有する金属であり、銀の糸の細く切った断面に露出している銀から流れ出る銀イオンによって、半永久的に抗菌性・防臭効果が発揮される。さらに、銀は熱伝導性に優れるとともに赤外線を反射する機能を有している。このため、銀の糸を含む裏地によって、外気が熱い場合には衣服内は涼しく、外気が寒い場合には衣服内は暖かいという熱遮断機能をも発揮する。
【０２７５】
また、遠赤外線セラミックスを含む裏地は、遠赤外線セラミックスが遠赤外線を発する機能を有するために外気が寒い場合でも衣服内は暖かいという保温効果を発揮する。さらに、静電気防止材を含む裏地は、銀の糸と同様に静電気が溜まることがなく、衣服の裾のまとわり付き等の静電気による弊害が完全に防止される。
【０２７６】
このようにして、婦人用ズボン等の衣服の裾長さを着用する人に合わせて極めて短時間で調節することができるとともに、静電気を防止でき、抗菌性・防臭効果をも有し、熱遮断機能、保温機能をも発揮する衣服となる。
【図面の簡単な説明】
【図１】図１（ａ）は本発明の実施の形態１にかかる裾長さ調節機能付き衣服に用いられる裾上げ紙の構造を示す斜視図、（ｂ）は上面中央の両面テープを省略した平面図、（ｃ）は小型の裾上げ紙を示す平面図である。
【図２】図２（ａ）は大型の裾上げ紙を示す平面図、（ｂ）は大型の裾上げ紙を用いた本発明の実施の形態１にかかる裾長さ調節機能付き衣服の途中段階を示す図、（ｃ）は最終段階を示す斜視図である。
【図３】図３は裾仕上がり線で婦人用ズボンの裾を折り曲げた状態で裾上げ紙の上紙と下紙の内側の両面テープで裏地を挟んで貼り付けた状態を示す図である。
【図４】図４はＡ線で表側に折り曲げて表地に裾仕上がり線のスジを付けるところを示す図である。
【図５】図５は裾上げ紙を引っ張り出して貼り付いた裏地を引き出すとともに裾を下へ下げるところを示す図である。
【図６】図６は図４で付けたスジで表地を折るとともに下へ下げて裾を整えた状態を示す図である。
【図７】図７は裾上げ紙の外側の両面テープの剥離紙を剥がしてＡ線で折って表地に貼り付けて仮止めした状態を示す図である。
【図８】図８は裾上げの仕上げ段階における熱接着に用いる工作用両面接着テープ付きの熱接着テープを示す斜視図である。
【図９】図９（ａ）は同じく熱接着に用いる工作用両面接着テープ付きの短い熱接着テープを示す平面図、（ｂ）はその変形例を示す平面図である。
【図１０】図１０は熱接着テープを数箇所で仮止めして熱接着する方法において用いられる紙製のクリップを示す斜視図である。
【図１１】図１１（ａ）は熱接着糸を用いる熱接着方法において１本の熱接着糸を全周に仮止めした状態を示す図、（ｂ）は２本の熱接着糸を全周に仮止めした状態を示す図、（ｃ）は４本の熱接着糸を全周に仮止めした状態を示す図である。
【図１２】図１２は熱接着糸を仮止めせず端から順にアイロンを掛けて熱接着して行く方法を示す斜視図である。
【図１３】図１３は本発明の実施の形態１の変形例にかかる裾長さ調節機能付き衣服における最初の段階の裾部分を示す部分斜視図である。
【図１４】図１４（ａ）は裾上げ紙の変形例を示す斜視図、（ｂ）は裾上げ紙の別の変形例を示す斜視図である。
【図１５】図１５は本発明の実施の形態２にかかる裾長さ調節機能付き衣服に用いられる目盛り紙を示す平面図である。
【図１６】図１６は目盛り紙を両面テープで婦人用ズボンの裾の脇線を中心にして表地及び裏地に貼り付けた状態を示す説明図である。
【図１７】図１７は目盛り紙の表側を裾仕上がり線で表地とともに折り曲げたところを示す説明図である。
【図１８】図１８は目盛り紙の裏側を裾仕上がり線と同じ目盛りで裏地とともに折り曲げたところを示す説明図である。
【図１９】図１９は本発明の実施の形態２の変形例にかかる裾長さ調節機能付き衣服に用いられる目盛り紙を示す平面図である。
【図２０】図２０は目盛り紙を裾仕上がり線で表地とともに折り曲げて中央の剥離紙を裾仕上がり線まで剥がし中央部分を折り曲げたところを示す説明図である。
【図２１】図２１は中央部分を裾の裏側まで折り曲げて表地と裏地を仮止めしたところを示す説明図である。
【図２２】図２２は本発明の実施の形態２の別の変形例にかかる裾長さ調節機能付き衣服の第１段階を示す説明図である。
【図２３】図２３は図２２の状態を裾の裏側から見たところを示す説明図である。
【図２４】図２４は裏地も折り曲げたところを示す説明図である。
【図２５】図２５（ａ）は本発明の実施の形態３にかかる裾長さ調節機能付き衣服に用いられるＴ字形裾上げ紙を示す図、（ｂ）は衣服の裏地に貼り付けられる裾上げ紙を示す図である。
【図２６】図２６は図２５の２種類の裾上げ紙を裾上げ前の婦人用ズボンの裾に取付けた状態を裏側から示す説明図である。
【図２７】図２７は裾上げ後の裾の状態を裏側から示す説明図である。
【図２８】図２８は本発明の実施の形態４にかかる裾長さ調節機能付き衣服に用いられる様々な紙シールを示す説明図である。
【図２９】図２９は紙シールを用いて裾上げを行う様子を示す説明図である。
【図３０】図３０は本発明の実施の形態５にかかる裾長さ調節機能付き衣服としての婦人用ズボンの裾上げを開始する前の状態を示す説明図である。
【図３１】図３１は厚紙を用いて婦人用ズボンの裾上げを行う様子を示す説明図である。
【図３２】図３２（ａ），（ｂ）は本発明の実施の形態５にかかる裾長さ調節機能付き衣服に用いられる厚紙の両面テープを貼る位置を変えた場合を示す説明図である。
【図３３】図３３は本発明の実施の形態５にかかる裾長さ調節機能付き衣服に用いられる厚紙の変形例を示す説明図である。
【図３４】図３４（ａ）は婦人用ズボンの裾のキセについて示す説明図、（ｂ）はヘムについて示す説明図である。
【符号の説明】
１，１１，１２，３５，３７，５０，６１，６３，６４，６５  裾上げ具
２，３  二股に分かれた部分
５，４２，４４，５２，５３，５５ａ，５６ａ，５７ａ，５８ａ，５９ａ，６１ａ，６３ａ，６４ａ，６５ａ  目盛り線
６，７，８，９，１０，６２  両面テープ
１６  表地
１６ａ  縫付け線
１６ｂ  ヘム部分
１７  裏地
１７ａ  キセ
１８  脇線
１９  股下線
２０  衣服の裾
２１  長く切った熱接着テープ
２２  熱接着テープ
２３  工作用の両面接着テープ
２４，４９ａ  剥離紙
２５，２６  短く切った熱接着テープ
２７  厚紙製のクリップ
３１  熱接着糸
３２  両面接着シール
３３  アイロン
４０，４６  一体の目盛り紙
４１ａ，４７ａ  幅の変化する線
４８  ミシン目
４９  中央部分
５０ａ  裾上げ具の先端
５１  細長いシール
５１ａ  細長いシールの先端
５５，５６，５７，５８，５９  紙シール
５５ｂ  幅が一旦細くなった部分
５６ｂ，５７ｂ，５８ｂ，５９ｂ  紙シールの下端
６１ｂ，６３ｂ，６４ｂ，６５ｂ  折り曲げ中心線
６６  ストッパー
６７  切り込み
１０１，１０２，１０３，１０４，１０５，１０６，１０７，１０８，１０９，１１０  裾長さ調節機能付き衣服
【図１】
2004211227.tif 000003
【図２】
2004211227.tif 000004
【図３】
2004211227.tif 000005
【図４】
2004211227.tif 000006
【図５】
2004211227.tif 000007
【図６】
2004211227.tif 000008
【図７】
2004211227.tif 000009
【図８】
2004211227.tif 000010
【図９】
2004211227.tif 000011
【図１０】
2004211227.tif 000012
【図１１】
2004211227.tif 000013
【図１２】
2004211227.tif 000014
【図１３】
2004211227.tif 000015
【図１４】
2004211227.tif 000016
【図１５】
2004211227.tif 000017
【図１６】
2004211227.tif 000018
【図１７】
2004211227.tif 000019
【図１８】
2004211227.tif 000020
【図１９】
2004211227.tif 000021
【図２０】
2004211227.tif 000022
【図２１】
2004211227.tif 000023
【図２２】
2004211227.tif 000024
【図２３】
2004211227.tif 000025
【図２４】
2004211227.tif 000026
【図２５】
2004211227.tif 000027
【図２６】
2004211227.tif 000028
【図２７】
2004211227.tif 000029
【図２８】
2004211227.tif 000030
【図２９】
2004211227.tif 000031
【図３０】
2004211227.tif 000032
【図３１】
2004211227.tif 000033
【図３２】
2004211227.tif 000034
【図３３】
2004211227.tif 000035
【図３４】
2004211227.tif 000036